(57)【特許請求の範囲】
【請求項１】
ＡＳＴＭ  Ｄ−２８９６規格に準拠して測定される値で、５０ｍｇＫＯＨ／ｇ以上のＢＮを有するシリンダー潤滑剤であって、
少なくとも一種の潤滑剤基油と、
金属炭酸塩によって過塩基化された、アルカリ金属又はアルカリ土類金属に基づく少なくとも一種の過塩基性清浄剤と、
少なくとも一種の中性清浄剤と、
式（Ｉ）：Ｒ１−［ＮＲ２（ＣＨ２）３］３−ＮＨ２（式中、Ｒ１は、炭素数１４以上の直鎖状又は分岐鎖状の飽和又は不飽和のアルキル基であり、Ｒ２は、水素原子、あるいは、式：−（ＣＨ２）２ＯＨで表される基である。）で表される少なくとも一種の脂肪族アミンを含む、脂肪族アミン混合物と、
を含み、
前記式（Ｉ）で表される脂肪族アミンの含有量は、前記脂肪族アミン混合物の総重量に対して９０重量％以上であり、
脂肪族アミンは、ＡＳＴＭ  Ｄ−２８９６規格に準拠して測定される値で、アミン１グラムあたりの値として１５０〜６００ｍｇＫＯＨ／ｇのＢＮを有し、
該潤滑剤の総重量に対する脂肪族アミンの質量百分率は、該シリンダー潤滑剤の全ＢＮのうち、該脂肪族アミンの寄与によるＢＮが、潤滑剤１グラムあたりの値として１０ｍｇＫＯＨ／ｇ以上となるように選択され、
該潤滑剤の総重量に対する過塩基性清浄剤の質量百分率は、該シリンダー潤滑剤の全ＢＮのうち、金属炭酸塩の寄与によるＢＮが、潤滑剤１グラムあたりの値として３０〜７０ｍｇＫＯＨ／ｇとなるように選択されている、シリンダー潤滑剤。
【請求項２】
請求項１に記載のシリンダー潤滑剤において、前記式（Ｉ）で表される脂肪族アミンの含有量が、前記脂肪族アミン混合物の総重量に対して厳密に１００重量％未満である、シリンダー潤滑剤。
【請求項３】
請求項１または２に記載のシリンダー潤滑剤において、前記式（Ｉ）で表される脂肪族アミンの含有量が、前記脂肪族アミン混合物の総重量に対して９０〜９９．９重量％である、シリンダー潤滑剤。
【請求項４】
請求項１から３のいずれか一項に記載のシリンダー潤滑剤において、該シリンダー潤滑剤が、ＡＳＴＭ  Ｄ−２８９６規格に準拠して測定される値で、潤滑剤１グラムあたりの値として５０〜１００ｍｇＫＯＨ／ｇのＢＮを有する、シリンダー潤滑剤。
【請求項５】
請求項１から４のいずれか一項に記載のシリンダー潤滑剤において、前記脂肪族アミンが、ＡＳＴＭ  Ｄ−２８９６規格に準拠して測定される値で、アミン１グラムあたりの値として２５０〜６００ｍｇＫＯＨ／ｇのＢＮを有する、シリンダー潤滑剤。
【請求項６】
請求項１から５のいずれか一項に記載のシリンダー潤滑剤において、該潤滑剤の総重量に対する脂肪族アミンの質量百分率は、該シリンダー潤滑剤の全ＢＮのうち、その脂肪族アミンの寄与によるＢＮが、潤滑剤１グラムあたりの値として１０〜６０ｍｇＫＯＨ／ｇとなるように選択されている、シリンダー潤滑剤。
【請求項７】
請求項１から６のいずれか一項に記載のシリンダー潤滑剤において、該潤滑剤の総重量に対する脂肪族アミンの質量百分率は、該シリンダー潤滑剤の全ＢＮのうち、前記脂肪族アミンの寄与によるＢＮが１０％以上となるように選択されている、シリンダー潤滑剤。
【請求項８】
請求項１から７のいずれか一項に記載のシリンダー潤滑剤において、該シリンダー潤滑剤の総重量に対し、前記脂肪族アミン混合物の質量百分率が、２〜１０質量％である、シリンダー潤滑剤。
【請求項９】
請求項１から８のいずれか一項に記載のシリンダー潤滑剤において、前記Ｒ１が、炭素数１４〜２２の直鎖状又は分岐鎖状の飽和又は不飽和のアルキル基である、シリンダー潤滑剤。
【請求項１０】
請求項１から９のいずれか一項に記載のシリンダー潤滑剤において、Ｒ２が、水素原子である、シリンダー潤滑剤。
【請求項１１】
請求項１から１０のいずれか一項に記載のシリンダー潤滑剤において、脂肪族アミン混合物が、
式（Ｉ）で、Ｒ１が炭素数１４〜１６の直鎖状又は分岐鎖状の飽和又は不飽和のアルキル基であり、かつ、Ｒ２が水素原子である、少なくとも一種の脂肪族アミン、
式（Ｉ）で、Ｒ１が炭素数１８以上の直鎖状又は分岐鎖状の飽和又は不飽和のアルキル基であり、かつ、Ｒ２が水素原子である、少なくとも一種の脂肪族アミン、および
式（Ｉ）で、Ｒ１が炭素数２０以上の直鎖状又は分岐鎖状の飽和又は不飽和のアルキル基であり、かつ、Ｒ２が水素原子である、少なくとも一種の脂肪族アミン、
の形で存在する、シリンダー潤滑剤。
【請求項１２】
請求項１から１０のいずれか一項に記載のシリンダー潤滑剤において、脂肪族アミン混合物が、
式（Ｉ）で、Ｒ１が炭素数１６〜２０の直鎖状又は分岐鎖状の不飽和アルキル基であり、かつ、Ｒ２が水素原子である、少なくとも一種の脂肪族アミン、および
式（Ｉ）で、Ｒ１が炭素数１６〜２０の直鎖状又は分岐鎖状の飽和アルキル基であり、かつ、Ｒ２が水素原子である、少なくとも一種の脂肪族アミン、
の形で存在する、シリンダー潤滑剤。
【請求項１３】
請求項１から１２のいずれか一項に記載のシリンダー潤滑剤において、前記過塩基性清浄剤および中性清浄剤が、カルボキシレート、スルホネート、サリチレート、ナフテネート、フェネート、およびこれら少なくとも２種類の清浄剤を組み合わせた混合清浄剤から選択される、シリンダー潤滑剤。
【請求項１４】
請求項１から１３のいずれか一項に記載のシリンダー潤滑剤において、前記過塩基性清浄剤および中性清浄剤が、カルシウム、マグネシウム、ナトリウムおよびバリウムから選択される金属に基づく化合物である、シリンダー清浄剤。
【請求項１５】
請求項１から１４のいずれか一項に記載のシリンダー潤滑剤において、該潤滑剤の総重量に対する過塩基性清浄剤および中性清浄剤の質量百分率は、該シリンダー潤滑剤の全ＢＮのうち、それらの清浄剤セッケン部により付与される有機ＢＮの寄与が、潤滑剤１グラムあたりの値として１０ｍｇＫＯＨ／ｇ以上となるように選択されている、シリンダー潤滑剤。
【請求項１６】
請求項１から１５のいずれか一項に記載のシリンダー潤滑剤において、該潤滑剤の総重量に対する過塩基性清浄剤の質量百分率が、８〜３０質量％である、シリンダー潤滑剤。
【請求項１７】
請求項１から１６のいずれか一項に記載のシリンダー潤滑剤において、該潤滑剤の総重量に対する中性清浄剤の質量百分率が、５〜１５質量％である、シリンダー潤滑剤。
【請求項１８】
請求項１から１７のいずれか一項に記載のシリンダー潤滑剤において、さらに、
炭素数１２以上の直鎖状又は分岐鎖状の飽和又は不飽和のアルキル鎖を有する、第一級脂肪族モノアルコール類、第二級脂肪族モノアルコール類、および第三級脂肪族モノアルコール類、ならびに
炭素数１４以上の飽和モノ脂肪酸と炭素数６以下のアルコールとのエステル類、
から選択される、付加的な化合物、
を含む、シリンダー潤滑剤。
【請求項１９】
請求項１から１８のいずれか一項に記載のシリンダー潤滑剤において、該シリンダー潤滑剤の１００℃での動粘度が、ＡＳＴＭ  Ｄ４４５規格に準拠した測定値で１２．５〜２６．１ｃＳｔである、シリンダー潤滑剤。
【請求項２０】
請求項１から１９のいずれか一項に記載のシリンダー潤滑剤の使用であって、総重量に対する硫黄含有量が１重量％未満である燃料油と、総重量に対する硫黄含有量が１〜３．５重量％である燃料油のいずれを使用する際にも、一種類で用いることのできるシリンダー潤滑剤としての使用。
【請求項２１】
請求項１から１９のいずれか一項に記載のシリンダー潤滑剤の使用であって、総重量に対する硫黄含有量が３．５重量％以下となる任意の燃料油の燃焼時に、２ストローク船舶エンジンの腐食を防止するため、かつ／または、２ストローク船舶エンジンでの不溶性の金属塩堆積物の形成を抑制するための使用。
【発明の詳細な説明】
【技術分野】
【０００１】
本発明は、潤滑剤の分野、特に船舶エンジン用潤滑剤、より特には２ストローク船舶エンジン用潤滑剤の分野に適用可能である。詳細に説明すると、本発明は、少なくとも一種の基油と、少なくとも一種の過塩基性清浄剤と、少なくとも一種の中性清浄剤と、少なくとも一種の脂肪族アミンとを含む、船舶エンジン用潤滑剤に関する。本発明にかかる潤滑剤は、高硫黄含有量の燃料油と低硫黄含有量の燃料油との双方に用いることができる。本発明にかかる潤滑剤は、低硫黄含有量の燃料油の使用時における堆積物（デポジット）形成を抑制することができる一方で、高硫黄含有量の燃料油の燃焼時に形成される硫酸に対して十分な中和力を発揮することもできる。
【０００２】
また特に、本発明にかかる潤滑剤は、あらゆる種類の燃料油（すなわち、高硫黄含有量の燃料油、低硫黄含有量の燃料油にかかわらず）の燃焼時に、２ストローク船舶エンジンの腐食を防止でき、かつ／または、２ストローク船舶エンジンでの不溶性の金属塩堆積物の形成を抑制することができる。
【０００３】
また本発明にかかる潤滑剤は、良好な耐熱性とピストン−シリンダアセンブリの良好な清浄性とを示す。
【０００４】
本発明はまた、船舶エンジンの潤滑方法、より特に、２ストローク船舶エンジンを潤滑する方法に関し、該エンジンは、本発明の潤滑剤の使用により、高硫黄含有量の燃料油も低硫黄含有量の燃料油も利用可能となる。
【０００５】
本発明は、さらに、少なくとも一種の脂肪族アミンを含む添加剤濃縮物タイプの組成物に関する。
【背景技術】
【０００６】
２ストローククロスヘッド型低速エンジンに使用される船舶用オイルには２つの種類がある。一つは、ピストン−シリンダアセンブリの潤滑を確実にするためのシリンダーオイルであり、いま一つは、ピストン−シリンダアセンブリ以外の全ての可動部品を確実に潤滑するためのシステムオイルである。ピストン−シリンダアセンブリ内では、酸性ガスを含む燃焼残渣物が潤滑油と接触する。
【０００７】
この酸性ガスは、燃料油の燃焼時に形成される、具体的には、硫黄酸化物（ＳＯ２，ＳＯ３）であり、これらは燃焼ガスおよび／またはオイル中の水分と接触することにより加水分解する。この加水分解によって亜硫酸（ＨＳＯ３）や硫酸（Ｈ２ＳＯ４）が生成される。
【０００８】
ライナー表面を保護し、過度の腐食摩耗を防止するためには、これらの酸を中和する必要がある。中和は、一般的に、潤滑剤中に含まれる塩基性サイトとの反応によって行われる。
【０００９】
オイルの中和能力は、そのオイルの塩基性を表すＢＮすなわち塩基価（Ｂａｓｅ  Ｎｕｍｂｅｒ）によって評価される。ＢＮは、ＡＳＴＭ  Ｄ−２８９６規格に準拠して測定され、オイル１グラムあたりの値としての水酸化カリウム当量、すなわちｍｇＫＯＨ／ｇで表される。ＢＮは、使用される燃料油中に含まれて、燃焼と加水分解を経て硫酸に変化する可能性のある、全ての硫黄を中和できるように、その燃料油の硫黄含有量に応じて、シリンダーオイルの塩基性を調整するために用いられる標準的な尺度である。
【００１０】
すなわち、燃料油の硫黄含有量が高いほど、船舶用オイルのＢＮも高く調整する必要がある。そのため、（オイル１グラムあたりの値として）５〜１００ｍｇＫＯＨ／ｇの、各種のＢＮを有する船舶用オイルが市販されている。船舶用オイルの塩基性は、不溶性の金属塩（特には、金属炭酸塩）によって過塩基化された過塩基性清浄剤によって付与される。過塩基性清浄剤は、主にアニオン性の清浄剤であり、例えばサリチレート系、フェネート系、スルホネート系、カルボキシレート系等の金属セッケンである。これらは、不溶性の金属塩粒子を懸濁状態で維持するミセルを形成する。通常、過塩基性清浄剤のＢＮは、清浄剤１グラムあたりの値として本質的に１５０〜７００ｍｇＫＯＨ／ｇであるのが一般的である。潤滑剤中における過塩基性清浄剤の質量濃度は、目標のＢＮレベルに応じて決定される。
【００１１】
目標のＢＮのうちの一部を、通常、清浄剤１グラムあたりの値として１５０ｍｇＫＯＨ／ｇ未満のＢＮを有する、過塩基化されていない清浄剤、すなわち、「中性」清浄剤によって付与することもできる。しかし、目標のＢＮの全体を「中性」清浄剤によって付与して、船舶エンジン用のシリンダー潤滑剤処方物（特には、２ストローク船舶エンジン用のシリンダー潤滑剤処方物）を製造することは考慮できない。実際、そのような場合には、過剰量の「中性」清浄剤を配合する必要があり、潤滑剤の効率性が損なわれるであろうし、経済性の観点からみても現実的とはいえない。
【００１２】
そのため、通常の潤滑剤のＢＮに大きく寄与するのは、過塩基性の清浄剤に含まれる炭酸カルシウム等の不溶性の金属塩である。シリンダー潤滑剤のＢＮのうちのおよそ５０％以上、典型的には７５％以上が、これらの不溶性の金属塩によって付与されていると考えられる。
【００１３】
残りのＢＮのうちの大半は、中性清浄剤と過塩基性清浄剤との双方に見られる実際の清浄剤部位（すなわち、金属セッケン部）によって付与されるのが通例である。
【００１４】
環境上の配慮から、特定の海域、特に沿岸海域において、船舶に使用される燃料油の硫黄レベルを制限する規則が設けられるに至っている。
【００１５】
かくて、ＩＭＯ（国際海事機関）によるマルポール条約付属書ＶＩ規則（船舶からの大気汚染防止のための規則）が２００５年５月に発効した。この規則は、重質燃料油の総重量中の硫黄含有量の上限を４．５重量％に設定すると共に、ＳＥＣＡ（ＳＯｘ排出規制海域）と称される硫黄酸化物排出規制海域を設けるものである。
【００１６】
ここで「重質燃料油」とは、船舶に搭載される大型ディーゼルエンジンで主に使用される、高粘度燃料を指すものである。
【００１７】
この規制海域に入る船舶は、総重量中の硫黄含有量が１．５重量％以下となる燃料油を使用するか、あるいは、ＳＯｘ排出を抑制する何らかの代替的処置を採用して、規定値を満たす必要があった。
【００１８】
最近、マルポール条約付属書ＶＩ規則が改正された。その改正内容を、以下の表にまとめる。このように、硫黄含有量の上限の規制がさらに厳しくなり、全海域における、燃料油中の硫黄含有量の上限が、燃料油の総重量に対して４．５重量％から３．５重量％に低下された。
【００１９】
また、上記ＳＥＣＡ（硫黄排出規制海域）が新しくＥＣＡ（排出規制海域）となり、燃料油総重量中の最大許容硫黄含有量が１．５重量％から１．０重量％にさらに低減され、ＮＯｘの含有量および粒子の含有量に関する新たな制限が追加された。
【００２０】
【表１】
0006324492.tif 000002
【００２１】
大陸横断航路を取る船舶は、各地の環境制約に応じて複数の種類の重質燃料油を使い分けながら、運転コストを最適化することになる。燃料油中の許容可能な硫黄含有量の最大レベルが最終的にどうなろうとも、この状況に変わりはないであろう。
【００２２】
そこで、コンテナ船の多くは、高硫黄含有量の燃料油（総重量中の硫黄含有量が最大３．５重量％またはそれを超える燃料油）、すなわち、公海用燃料油と、硫黄含有量が総重量に対して１重量％以下のＥＣＡ用燃料油とに用いるため、複数のバンカータンクを利用している。
【００２３】
これら２種類の燃料油間での切替では、エンジンの作動条件の適合、具体的には、適切なシリンダー潤滑剤の使用が必要となり得る。
【００２４】
今日、高硫黄含有量の燃料油（総重量中の硫黄含有量が最大３重量％以上の燃料油）の存在下では、およそ７０ｍｇＫＯＨ／ｇのＢＮを有する船舶用潤滑剤が主に使用されている。
【００２５】
低硫黄含有量の燃料油（総重量中の硫黄含有量が１重量％以下の燃料油）の存在下では、およそ４０ｍｇＫＯＨ／ｇのＢＮを有する船舶用潤滑剤が主に推奨されている。
【００２６】
上記のどちらの場合にも、船舶用潤滑剤中の過塩基性清浄剤によってもたらされる塩基性サイトが必要濃度に達することにより、十分な中和能力が達成されるが、燃料油の種類を変えるたびに潤滑剤を交換する必要がある。
【００２７】
しかも、これら潤滑剤はいずれも、以下の理由により使用が制限される。低硫黄含有量の燃料油（総重量中の硫黄含有量が１重量％以下の燃料油）の存在下で、一定のレベルの潤滑条件で、７０ｍｇＫＯＨ／ｇのＢＮを有するシリンダー潤滑剤を使用した場合、塩基性サイトが過剰に形成され、使用されない過塩基性清浄剤のミセル（不溶性の金属塩を含む）が不安定化する危険がある。ミセルの不安定化により、不溶性の金属塩（例えば、炭酸カルシウム塩など）の高い硬度を有する堆積物が主にピストンクラウンに形成され、長期的にみると、ピストン−ライナー研磨型の過剰摩耗が発生する虞がある。他方、４０ｍｇＫＯＨ／ｇのＢＮを有するシリンダー潤滑剤を用いた場合、そのようなＢＮでは潤滑剤に十分な中和能力が付与されず、腐食のリスクが大きくなる。
【００２８】
つまり、２ストロークエンジンのシリンダー潤滑状態を最適化するためには、使用する燃料油の硫黄含有量と、該エンジンの作動条件との双方に適したＢＮを有する潤滑剤を選択する必要がある。この最適化作業は、柔軟なエンジン操作を阻害するとともに、特定の潤滑剤から他のタイプの潤滑剤に切り替える条件を見極めるため、高度の技能が船員に要求されることとなる。
【００２９】
よって、操作の簡略化のためには、高硫黄含有量の燃料油と低硫黄含有量の燃料油との双方に単独で用いることのできるシリンダー潤滑剤、特には２ストローク船舶エンジン用のシリンダー潤滑剤が得られることが望ましい。
【００３０】
特に、過塩基性清浄剤に代えて、中和すべき硫酸の量に対して余剰に存在していても金属堆積物を発生させない化合物によってＢＮが付与される、処方物が要望されている。
【００３１】
この要望に応えるため、これまでに幾つかの解決策が提案されてきた：
【００３２】
特許文献１（国際公開第２００９／１５３４５３号）には、高硫黄含有量の燃料油と低硫黄含有量の燃料油との双方に用いることのできる、２ストローク船舶エンジン用のシリンダー潤滑剤であって、少なくとも一種の過塩基性清浄剤と、少なくとも一種の油溶性脂肪族アミンとを含む、シリンダー潤滑剤が記載されている。
【００３３】
ただし、特許文献１の潤滑剤では、中性清浄剤が必須でない。
【００３４】
また、この潤滑剤では、潤滑剤の総重量に対する過塩基性清浄剤の質量百分率が、金属炭酸塩によるＢＮの寄与が該潤滑剤の全ＢＮのうち、潤滑剤１グラムあたりの値として２０ｍｇＫＯＨ／ｇ以下となるように選択されている。さらにこの文献で、中和効率を向上させることが可能なものとして例示されている脂肪族アミン類は、脂肪モノアミン類または脂肪ジアミン類である。
【００３５】
特許文献２（国際公開第２００９／１４０２１５号）には、高硫黄含有量の燃料油と低硫黄含有量の燃料油との双方に用いることのできる、２ストローク船舶エンジン用のシリンダー潤滑剤であって、少なくとも一種の過塩基性清浄剤と、少なくとも一種の中性清浄剤と、少なくとも一種のアルコキシ化脂肪族アミンとを含む、シリンダー潤滑剤が記載されている。
【００３６】
しかし、この文献で中和効率を向上させることができるものとして例示されているアルコキシ化脂肪族アミン類は、アルコキシ化脂肪モノアミン類である。
【００３７】
さらに、この文献に記載された潤滑剤のＢＮは、特に高くすることはできず、潤滑剤１グラムあたりの値として５５ｍｇＫＯＨを超えるものとすることができない。
【００３８】
高硫黄含有量の燃料油と低硫黄含有量の燃料油とに関する中和効率の制約に加え、潤滑剤の耐熱性向上に関する要望、これによる、リング−ピストン−シリンダゾーン（すなわちＲＰＣゾーン）の清浄性向上に関する要望も考慮せねばならない。
【先行技術文献】
【特許文献】
【００３９】
【特許文献１】国際公開第２００９／１５３４５３号
【特許文献２】国際公開第２０１２／１４０２１５号
【発明の概要】
【発明が解決しようとする課題】
【００４０】
以上に鑑みて、船舶エンジン用のシリンダー潤滑剤（特には、２ストローク船舶エンジン用のシリンダー潤滑剤）であって、高硫黄含有量の燃料油と低硫黄含有量の燃料油のどちらを使用する際にも用いることができ、高いＢＮ、特に、シリンダー潤滑剤として５０ｍｇＫＯＨ／ｇ以上のＢＮを有し、良好な中和能力とを示すと同時に、良好な耐熱性、良好なエンジン清浄性、特に、ピストン−シリンダアセンブリの良好な清浄性を得ることができる、船舶エンジン用のシリンダー潤滑剤を利用可能となることが望ましい。
【００４１】
さらに、船舶エンジン用、特に、２ストローク船舶エンジン用のシリンダー潤滑剤であって、経時的な増粘、特に使用中の増粘のリスクが全く又は僅かしか存在しない、船舶エンジン用のシリンダー潤滑剤を利用可能となることが望ましい。
【００４２】
本発明は、前述した短所の一部又は全部を克服可能な、シリンダー潤滑剤を提供することを目的とする。
【００４３】
本発明はまた、耐劣化性（resistance to aging）を有し、長期にわたって各種特性を維持することのできるシリンダー潤滑剤を提供することを目的とする。
【００４４】
さらに本発明は、簡単に処方可能なシリンダー潤滑剤を提供することである。
【００４５】
また本発明は、船舶エンジンを潤滑する、特に２ストローク船舶エンジンを潤滑する、
高硫黄含有量の燃料油、低硫黄含有量の燃料油のいずれとともにも利用可能な方法を提供することを目的とする。
【課題を解決するための手段】
【００４６】
本発明は、高硫黄含有量の燃料油の使用時に形成される硫酸を効率的に中和することができる十分に高いＢＮを有すると共に、そのＢＮのうちの相当の部分が、低硫黄含有量の燃料油の使用時に一部が消費されても金属堆積物を発生させることがない、特定の油溶性の物質によって付与されるものである、シリンダー潤滑剤に関する。
【００４７】
よって、本発明は、ＡＳＴＭ  Ｄ−２８９６規格に準拠して測定される値で、５０ｍｇＫＯＨ/ｇ以上のＢＮを有するシリンダー潤滑剤であって、
・少なくとも一種の潤滑剤基油と、
・金属炭酸塩によって過塩基化された、アルカリ金属又はアルカリ土類金属に基づく少なくとも一種の過塩基性清浄剤と、
・少なくとも一種の中性清浄剤と、
・式（Ｉ）：Ｒ１−［ＮＲ２（ＣＨ２）３］３−ＮＨ２（式中、Ｒ１は、炭素数１４以上の直鎖状又は分岐鎖状の飽和又は不飽和のアルキル基であり、Ｒ２は、水素原子、あるいは、式：−（ＣＨ２）２ＯＨで表される基である。）で表される少なくとも一種の脂肪族アミン(fatty amine)を含む、脂肪族アミン混合物と、を含むシリンダー潤滑剤であって、
前記式（Ｉ）で表される脂肪族アミンの含有量は、前記脂肪族アミン混合物の総重量に対して９０重量％以上であり、
前記脂肪族アミンは、ＡＳＴＭ  Ｄ−２８９６規格に準拠して測定される値で、アミン１グラムあたりの値として１５０〜６００ｍｇＫＯＨ／ｇのＢＮを有し、
該潤滑剤の総重量に対する脂肪族アミンの質量百分率は、該シリンダー潤滑剤の全ＢＮのうち、その脂肪族アミンの寄与によるＢＮが、潤滑剤１グラムあたりの値として１０ｍｇＫＯＨ／ｇ以上となるように選択されており、
該潤滑剤の総重量に対する過塩基性清浄剤の質量百分率は、金属炭酸塩によるＢＮの寄与が該シリンダー潤滑剤の全ＢＮのうち、潤滑剤１グラムあたりの値として２０ｍｇＫＯＨ／ｇ以上となるように選択されている、シリンダー潤滑剤に関する。
【００４８】
出願人は、ＢＮの相当の部分が潤滑剤基油に可溶な脂肪族アミン類によって付与されるシリンダー潤滑剤を、同等または、より大きなＢＮを有する標準的な処方物と同様の性能レベルを維持しつつ処方し得ることを見出した。
【００４９】
ここで問題となる性能とは、特に、後述のエンタルピー試験を用いて測定される硫酸中和能力と、これも後述されるＥＣＢＴ試験で測定される耐熱性である。
【００５０】
本発明にかかるシリンダー潤滑剤は、その使用が適切となる粘度を維持したまま、かかる性能を発揮することができる。
【００５１】
ただし、過塩基性清浄剤の不溶性の金属粒子により付与されるＢＮを、完全に廃することはできない。事実、これらは、高硫黄含有量の燃料油（例えば、総重量に対して３重量％を超える硫黄を含有する燃料油など）で運転する際に欠かせない、塩基性維持のための最後の蓄えとなっている。
【００５２】
また、これらの不溶性の金属塩は、安定したミセルの形態で潤滑剤中に分散した状態が保たれている限り、好適な耐摩耗効果を示すことができる。
【００５３】
出願人は、ＢＮのうちの相当の部分を前述の脂肪族アミン類によって付与することにより、驚くべきことに、ＢＮのうちの多くの部分（すなわち、潤滑剤１グラムあたりの値として２０ｍｇＫＯＨ／ｇ以上）が過塩基性清浄剤の不溶性金属塩（典型的には、金属炭酸塩）によって付与されるにもかかわらず、シリンダー潤滑剤が良好な中和能力と良好な耐熱性とを保持することを見出した。
【００５４】
このように、本発明は、船舶エンジン用のシリンダー潤滑剤（特には、２ストローク船舶エンジン用のシリンダー潤滑剤）であって、高硫黄含有量の燃料油と低硫黄含有量の燃料油との双方に用いることができるとともに、高いＢＮを有し、該潤滑剤のその他の性能を維持することができる潤滑剤の処方を可能とするものである。
【００５５】
有利なことに、本発明にかかるシリンダー潤滑剤は、良好な硫酸中和能力を示す。
【００５６】
有利なことに、本発明にかかるシリンダー潤滑剤は、良好な耐熱性を示す。
【００５７】
有利なことに、本発明にかかるシリンダー潤滑剤は、長期にわたって良好な粘度安定性を示す。
【００５８】
有利なことに、本発明にかかるシリンダー潤滑剤は、使用条件に応じて増粘するリスクが全く又は僅かしか存在しない。
【００５９】
一実施形態において、本発明にかかるシリンダー潤滑剤は、式（Ｉ）で表される脂肪族アミン以外の脂肪族アミンを含まない。
【００６０】
この場合、本発明にかかるシリンダー潤滑剤は、式（Ｉ）で表される、脂肪族アミンを一種以上含んでもよいが、式（Ｉ）で表される脂肪族アミン以外の脂肪族アミンは含まない。
【００６１】
一実施形態において、本発明は、ＡＳＴＭ  Ｄ−２８９６規格に準拠して測定される数値で、５０ｍｇＫＯＨ/ｇ以上のＢＮを有するシリンダー潤滑剤であって、
・少なくとも一種の潤滑剤基油と、
・金属炭酸塩によって過塩基化された、アルカリ金属又はアルカリ土類金属に基づく少なくとも一種の過塩基性清浄剤と、
・少なくとも一種の中性清浄剤と、
・炭素数１２以上（好ましくは炭素数１２〜２４、より好ましくは炭素数１６〜１８）の直鎖状又は分岐鎖状の飽和又は不飽和のアルキル鎖を有する、少なくとも一種の第一級、第二級又は第三級脂肪族モノアルコール（有利には、直鎖状の飽和アルキル鎖を有する第一級モノアルコール）と、
・式（Ｉ）：Ｒ１−［ＮＲ２（ＣＨ２）３］３−ＮＨ２（式中、Ｒ１は、炭素数１４以上の直鎖状又は分岐鎖状の飽和又は不飽和のアルキル基であり、Ｒ２は、水素原子、あるいは、式：−（ＣＨ２）２ＯＨで表される基である。）で表される少なくとも一種の脂肪族アミンを含む、脂肪族アミン混合物と、
を含み、
前記式（Ｉ）で表される脂肪族アミンの含有量は、前記脂肪族アミン混合物の総重量に対して９０重量％以上であり、
前記脂肪族アミンは、ＡＳＴＭ  Ｄ−２８９６規格に準拠して測定される値で、アミン１グラムあたりの値として１５０〜６００ｍｇＫＯＨ／ｇのＢＮを有し、
該潤滑剤の総重量に対する脂肪族アミンの質量百分率は、該シリンダー潤滑剤の全ＢＮのうち、その脂肪族アミンの寄与によるＢＮが、潤滑剤１グラムあたりの値として１０ｍｇＫＯＨ／ｇ以上となるように選択されており、
該潤滑剤の総重量に対する過塩基性清浄剤の質量百分率は、該シリンダー潤滑剤の全ＢＮのうち、金属炭酸塩の寄与によるＢＮが潤滑剤１グラムあたりの値として２０ｍｇＫＯＨ／ｇ以上となるように選択されている、シリンダー潤滑剤に関する。
【００６２】
一実施形態において、前記シリンダー潤滑剤は、
・少なくとも一種の潤滑剤基油と、
・金属炭酸塩によって過塩基化された、アルカリ金属又はアルカリ土類金属に基づく少なくとも一種の過塩基性清浄剤と、
・少なくとも一種の中性清浄剤と、
・式（Ｉ）：Ｒ１−［ＮＲ２（ＣＨ２）３］３−ＮＨ２（式中、Ｒ１は、炭素数１４以上の直鎖状又は分岐鎖状の飽和又は不飽和のアルキル基であり、Ｒ２は、水素原子、あるいは、式：−（ＣＨ２）２ＯＨで表される基である。）で表される少なくとも一種の脂肪族アミンを含む、脂肪族アミン混合物と、
で本質的に構成され、
前記式（Ｉ）で表される脂肪族アミンの含有量は、前記脂肪族アミン混合物の総重量に対して９０重量％以上であり、
前記脂肪族アミンは、ＡＳＴＭ  Ｄ−２８９６規格に準拠して測定される値で、アミン１グラムあたりの値として１５０〜６００ｍｇＫＯＨ／ｇのＢＮを有し、
該潤滑剤の総重量に対する脂肪族アミンの質量百分率は、その脂肪族アミンによるＢＮの寄与が該シリンダー潤滑剤の全ＢＮのうち、潤滑剤１グラムあたりの値として１０ｍｇＫＯＨ／ｇ以上となるように選択されており、
該潤滑剤の総重量に対する過塩基性清浄剤の質量百分率は、金属炭酸塩によるＢＮの寄与が該シリンダー潤滑剤の全ＢＮのうち、潤滑剤１グラムあたりの値として２０ｍｇＫＯＨ／ｇ以上となるように選択されている、シリンダー潤滑剤である。
【００６３】
一実施形態において、前記シリンダー潤滑剤は、
・少なくとも一種の潤滑剤基油と、
・金属炭酸塩によって過塩基化された、アルカリ金属又はアルカリ土類金属に基づく少なくとも一種の過塩基性清浄剤と、
・少なくとも一種の中性清浄剤と、
・炭素数１２以上（好ましくは炭素数１２〜２４、より好ましくは炭素数１６〜１８）の直鎖状又は分岐鎖状の飽和又は不飽和のアルキル鎖を有する、少なくとも一種の第一級、第二級又は第三級脂肪族モノアルコール（有利には、直鎖状の飽和アルキル鎖を有する第一級モノアルコール）と、
・式（Ｉ）：Ｒ１−［ＮＲ２（ＣＨ２）３］３−ＮＨ２（式中、Ｒ１は、炭素数１４以上の直鎖状又は分岐鎖状の飽和又は不飽和のアルキル基であり、Ｒ２は、水素原子、あるいは、式：−（ＣＨ２）２ＯＨで表される基である。）で表される少なくとも一種の脂肪族アミンを含む、脂肪族アミン混合物と、
で本質的に構成され、
前記式（Ｉ）で表される脂肪族アミンの含有量は、前記脂肪族アミン混合物の総重量に対して９０重量％以上であり、
前記脂肪族アミンは、ＡＳＴＭ  Ｄ−２８９６規格に準拠して測定される値で、アミン１グラムあたりの値として１５０〜６００ｍｇＫＯＨ／ｇのＢＮを有し、
該潤滑剤の総重量に対する脂肪族アミンの質量百分率は、その脂肪族アミンによるＢＮの寄与が該シリンダー潤滑剤の全ＢＮのうち、潤滑剤１グラムあたりの値として１０ｍｇＫＯＨ／ｇ以上となるように選択されており、
該潤滑剤の総重量に対する過塩基性清浄剤の質量百分率は、金属炭酸塩によるＢＮの寄与が該シリンダー潤滑剤の全ＢＮのうち、潤滑剤１グラムあたりの値として２０ｍｇＫＯＨ／ｇ以上となるように選択されている、シリンダー潤滑剤である。
【００６４】
本発明は、さらに、前記シリンダー潤滑剤の使用であって、２ストローク船舶エンジンを潤滑するための使用に関する。
【００６５】
本発明は、さらに、前記シリンダー潤滑剤の使用であって、総重量に対する硫黄含有量が１重量％未満である燃料油と、総重量に対する硫黄含有量が１〜３．５重量である燃料油と、総重量に対する硫黄含有量が３．５重量％を超える燃料油とのいずれとも共に用いることのできる、単一のシリンダー潤滑剤としての使用に関する。
【００６６】
一実施形態において、前記シリンダー潤滑剤は、総重量に対する硫黄含有量が１重量％未満である燃料油と、総重量に対する硫黄含有量が１〜３．５重量％である燃料油のいずれとも共に用いることのできる、単一のシリンダー潤滑剤として使用される。
【００６７】
本発明は、さらに、前記シリンダー潤滑剤の使用であって、総重量に対する硫黄含有量が３．５重量％未満となる任意の燃料油を燃焼する際に、２ストローク船舶エンジンの腐食を防止するため、かつ／または該エンジンにおける不溶性の金属塩堆積物の形成を抑制するための使用に関する。
【００６８】
本発明は、さらに、ＢＮがＡＳＴＭ  Ｄ−２８９６規格に準拠して測定される値で潤滑剤１グラムあたりの値として５０ｍｇＫＯＨ／ｇ以上であるシリンダー潤滑剤を調製するために用いられる添加剤濃縮物であって、
該濃縮物は、
１グラムあたりの値として１００〜４００ｍｇＫＯＨ／ｇのＢＮを有し、
金属炭酸塩によって過塩基化された、アルカリ金属又はアルカリ土類金属に基づく少なくとも一種の過塩基性清浄剤と、
少なくとも一種の中性清浄剤と、
ＡＳＴＭ  Ｄ−２８９６規格に準拠して測定される値で、アミン１グラムあたりの値として１５０〜６００ｍｇＫＯＨ／ｇのＢＮを有し、式（Ｉ）：Ｒ１−［ＮＲ２（ＣＨ２）３］３−ＮＨ２（式中、Ｒ１は、炭素数１４以上の直鎖状又は分岐鎖状の飽和又は不飽和のアルキル基であり、Ｒ２は、水素原子、あるいは、式：−（ＣＨ２）２ＯＨで表される基である。）
で表される少なくとも一種の脂肪族アミンと、
を含み、
該濃縮物中の前記脂肪族アミンの質量百分率は、該濃縮物のＢＮに対する寄与がＡＳＴＭ  Ｄ−２８９６規格に準拠して測定される値で、濃縮物１グラムあたりの値として２０〜３００ｍｇＫＯＨ／ｇとなるように選択されている、添加剤濃縮物に関する。
【００６９】
本発明は、さらに、２ストローク船舶エンジンを潤滑する方法であって、該エンジンを前記シリンダー潤滑剤または前記添加剤濃縮物から得られたシリンダー潤滑剤に接触させる工程を少なくとも含む方法に関する。
【００７０】
本発明は、さらに、総重量に対しする硫黄含有量が３．５重量％未満のいかなる種類の燃料油を燃焼する際にも、２ストローク船舶エンジンの腐食を防止する、かつ／または２ストローク船舶エンジンでの不溶性の金属塩堆積物の形成を抑制する方法であって、前記エンジンを前記シリンダー潤滑剤または前記添加剤濃縮物から得られたシリンダー潤滑剤に接触させる、少なくとも一つの工程を含む方法に関する。
【図面の簡単な説明】
【００７１】
【図１】中和反応における、時間経過に対する温度増加曲線を示すグラフである。
【図２】ＢＮＣａＣＯ３測定対象物の各質量（１〜１０グラム）について、差圧マノメータで測定される圧力（ＣＯ２の放出による圧力増加に対応）を、その試料中のＢＮＣａＣＯ３の関数として表したグラフである。
【発明を実施するための形態】
【００７２】
以降で述べる百分率の数値は、有効成分の質量％（質量百分率）の数値に相当する。
【００７３】
（脂肪族アミン）
本発明にかかるシリンダー潤滑剤は、
式（Ｉ）：Ｒ１−［ＮＲ２（ＣＨ２）３］３−ＮＨ２（式中、Ｒ１は、炭素数１４以上の直鎖状又は分岐鎖状の飽和又は不飽和のアルキル基であり、Ｒ２は、水素原子、あるいは、式：−（ＣＨ２）２ＯＨで表される基である。）で表される少なくとも一種の脂肪族アミンを含む、脂肪族アミン混合物、
を含み、前記脂肪族アミン混合物の総重量に対し、式（Ｉ）で表される脂肪族アミンの含有量が９０重量％以上であり、かつ、該脂肪族アミンが、ＡＳＴＭ  Ｄ−２８９６規格に準拠して測定される値で、アミン１グラムあたりの値として１５０〜６００ｍｇＫＯＨ／ｇのＢＮを有するものである。
【００７４】
「脂肪族アミン」とは、式（Ｉ）で表される脂肪族アミンを意味するものとする。
【００７５】
「脂肪族アミン混合物」とは、式（Ｉ）で表される脂肪族アミンを少なくとも一種含む、脂肪族アミン混合物のことを意味するものとする。
【００７６】
本発明の一実施形態において、前記脂肪族アミンのＢＮは、ＡＳＴＭ  Ｄ−２８９６規格に準拠して測定される値で、アミン１グラムあたりの値として２５０〜６００ｍｇＫＯＨ／ｇであり、好ましくはアミン１グラムあたりの値として３００〜５００ｍｇＫＯＨ／ｇである。
【００７７】
他の実施形態において、前記脂肪族アミン混合物のＢＮは、ＡＳＴＭ  Ｄ−２８９６規格に準拠して測定される値で、アミン混合物１グラムあたりの値として２５０〜６００ｍｇＫＯＨ／ｇであり、好ましくはアミン混合物１グラムあたりの値として３００〜５００ｍｇＫＯＨ／ｇである。
【００７８】
前記脂肪族アミンは、主にカルボン酸から得られる。
【００７９】
本発明にかかる脂肪族アミンを得るための出発物質となる脂肪酸は、ミリスチン酸、ペンタデカン酸、パルミチン酸、マルガリン酸、ステアリン酸、ノナデシル酸、アラキジン酸、ヘンエイコサン酸、ベヘン酸、トリコサン酸、リグノセリン酸、ぺンタコサン酸、セロチン酸、ヘプタコサン酸、モンタン酸、ノナコサン酸、メリシン酸、ヘントリアコンタン酸、およびラッセル酸（laceroic acid）などから選択することができ、また、パルミトレイン酸、オレイン酸、エルカ酸、ネルボン酸、リノール酸、α−リノレン酸、γ−リノレン酸、ジホモ−γ−リノレン酸、アラキドン酸、エイコサペンタエン酸、ドコサヘキサエン酸などの不飽和脂肪酸から選択することができる。
【００８０】
好ましい脂肪酸は、ココナッツ油、パーム油、オリーブ油、ピーナッツ油、なたね油、ひまわり油、大豆油、綿実油、亜麻仁油、牛脂等の、植物油および動物油に含まれるトリグリセドの加水分解によって生じた脂肪酸である。
【００８１】
天然油は、特定の脂肪酸の含有量を増やすために遺伝的に改変されたものであってもよい。かかる天然油の例としては、なたね油、高オレイン酸ひまわり油等が挙げられる。
【００８２】
一実施形態において、本発明にかかる潤滑剤中に使用される脂肪族アミンは、天然資源(natural resources)、植物資源(vegetable resources)または動物資源(animal resources)に由来するものである。
【００８３】
本発明の一実施形態において、前記脂肪族アミン混合物は、式（Ｉ）で表される脂肪族アミンであって、式中のＲ１が炭素数１４〜２２（好ましくは炭素数１６〜２０）の直鎖状又は分岐鎖状の飽和又は不飽和のアルキル基である、脂肪族アミンを少なくとも一種含む。
【００８４】
本発明の他の実施形態において、脂肪族アミン混合物は、式（Ｉ）で表される脂肪族アミンであって、式中のＲ２が水素原子である脂肪族アミンを少なくとも一種含む。
【００８５】
本発明の好ましい他の実施形態において、脂肪族アミン混合物は、式（Ｉ）で表される脂肪族アミンであって、式中、
Ｒ１が、炭素数１４〜２２（より好ましくは炭素数１６〜２０）の直鎖状又は分岐鎖状の飽和又は不飽和のアルキル基であり、
Ｒ２が、水素原子である、
脂肪族アミンを、少なくとも一種含む。
【００８６】
本発明の好ましい他の実施形態において、脂肪族アミン混合物は、
式（Ｉ）で表され、式中のＲ１が炭素数１４〜１６の直鎖状又は分岐鎖状の飽和又は不飽和のアルキル基であり、かつ、Ｒ２が水素原子である、少なくとも一種の脂肪族アミン、
式（Ｉ）で表され、式中のＲ１が炭素数１８以上の直鎖状又は分岐鎖状の飽和又は不飽和のアルキル基であり、かつ、Ｒ２が水素原子である、少なくとも一種の脂肪族アミン、および
式（Ｉ）で表され、式中のＲ１が炭素数２０以上の直鎖状又は分岐鎖状の飽和又は不飽和のアルキル基であり、かつ、Ｒ２が水素原子である、少なくとも一種の脂肪族アミン、
を含む形で存在する。
【００８７】
本発明のより好ましい一実施形態において、脂肪族アミン混合物は、
式（Ｉ）で表され、式中のＲ１が炭素数１４〜１６の直鎖状又は分岐鎖状の飽和又は不飽和のアルキル基であり、かつ、Ｒ２が水素原子である、少なくとも一種の脂肪族アミン、
式（Ｉ）で表され、式中のＲ１が炭素数１８以上の直鎖状又は分岐鎖状の飽和又は不飽和のアルキル基であり、かつ、Ｒ２が水素原子である、少なくとも一種の脂肪族アミン、および
式（Ｉ）で表され、式中のＲ１が炭素数２０以上の直鎖状又は分岐鎖状の飽和又は不飽和のアルキル基であり、かつ、Ｒ２が水素原子である、少なくとも一種の脂肪族アミン、
を含む形で存在し、かつ、式（Ｉ）で表されるこれらの脂肪族アミンの合計含有量が、脂肪族アミン混合物の総重量に対し、９０重量％以上、且つ厳密に１００重量％未満である、脂肪族アミン混合物である。
【００８８】
本発明の好ましい他の実施形態において、脂肪族アミン混合物は、
式（Ｉ）で表され、式中のＲ１が炭素数１６〜２０（より好ましくは炭素数１８〜２０）の直鎖状又は分岐鎖状の不飽和アルキル基であり、かつ、Ｒ２が水素原子である、少なくとも一種の脂肪族アミン、および
式（Ｉ）で表され、式中のＲ１が炭素数１６〜２０（より好ましくは炭素数１８〜２０）の直鎖状又は分岐鎖状の飽和アルキル基であり、かつ、Ｒ２が水素原子である、少なくとも一種の脂肪族アミン、
を含む形で存在する。
【００８９】
本発明のより好ましい一実施形態において、脂肪族アミン混合物は、
式（Ｉ）で表され、式中のＲ１が炭素数１６〜２０（さらに好ましくは炭素数１８〜２０）の直鎖状又は分岐鎖状の不飽和アルキル基であり、かつ、Ｒ２が水素原子である、少なくとも一種の脂肪族アミン、および
式（Ｉ）で表され、式中のＲ１が炭素数１６〜２０（さらに好ましくは炭素数１８〜２０）の直鎖状又は分岐鎖状の飽和アルキル基であり、かつ、Ｒ２が水素原子である、少なくとも一種の脂肪族アミン、
を含む形で存在し、かつ、前記式（Ｉ）で表されるこれらの脂肪族アミンの合計量が、脂肪族アミン混合物の総重量に対し、９０重量％以上で且つ厳密に１００重量％未満である脂肪族アミン混合物である。
【００９０】
本発明にかかる脂肪族アミン混合物として、例えば、Ａｋｚｏ  Ｎｏｂｅｌ社から販売されているＴｅｔｒａｍｅｅｎ  ＯＶ、Ｔｅｔｒａｍｅｅｎ  Ｔ等が挙げられる。
【００９１】
本発明にかかるシリンダー潤滑剤の総重量に対する脂肪族アミンの質量百分率は、その脂肪族アミンにより付与されるＢＮの、該シリンダー潤滑剤の全ＢＮへの寄与が、潤滑剤１グラムあたりの値として１０ｍｇＫＯＨ／ｇ以上となるように選択されている。
【００９２】
本発明にかかるシリンダー潤滑剤のうち、脂肪族アミンによって付与されるＢＮ分（最終的な潤滑剤（最終製品）１グラムあたりの値としてのｍｇＫＯＨ：ＢＮ「ポイント」とも称する。）は、ＡＳＴＭ  Ｄ−２８９６規格に準拠して測定される、脂肪族アミンの固有ＢＮと、最終的な潤滑剤中に含まれる脂肪族アミンの質量百分率とから算出される：
アミンＢＮｌｕｂ＝ｘ×アミンＢＮ／１００
ここで、アミンＢＮｌｕｂは、最終的な潤滑剤のＢＮのうち、アミンによる寄与であり、
ｘは、最終的な潤滑剤中に含まれるアミンの質量百分率、
アミンＢＮは、アミン単独の固有ＢＮ（ＡＳＴＭ  Ｄ−２８９６規格）である。
【００９３】
本発明の一実施形態において、前記シリンダー潤滑剤の総重量に対する脂肪族アミンの質量百分率は、該シリンダー潤滑剤の全ＢＮのうち、前記脂肪族アミンの寄与によるＢＮが、潤滑剤１グラムあたりの値として１０〜６０ｍｇＫＯＨ／ｇとなるように選択されており、好ましくは潤滑剤１グラムあたりの値として１０〜３０ｍｇＫＯＨ／ｇとなるように選択されている。
【００９４】
本発明の他の実施形態において、前記シリンダー潤滑剤の総重量に対する脂肪族アミンの質量百分率は、該シリンダー潤滑剤の全ＢＮのうち、該脂肪族アミンの寄与によるＢＮが１０％以上となるように選択されており、好ましくは１０〜５０％となるように選択されており、より好ましくは１０〜３０％となるように選択されている。
【００９５】
本発明の他の実施形態において、前記シリンダー潤滑剤の総重量に対する脂肪族アミン混合物の質量百分率は、２〜１０質量％である。
【００９６】
本発明の他の実施形態において、前記シリンダー潤滑剤の総重量に対する脂肪族アミン混合物の質量百分率は、２〜６質量％である。
【００９７】
好ましい一実施形態において、本発明にかかるシリンダー潤滑剤は、式（Ｉ）で表される脂肪族アミン以外の脂肪族アミンを含まない。
【００９８】
本発明の他の実施形態において、前記シリンダー潤滑剤は、式（Ｉ）で表される脂肪族アミンと異なる少なくとも一種の脂肪族アミンをさらに含む。
【００９９】
前記の付加的に含まれる脂肪族アミンは、脂肪族モノアミン類、脂肪族ジアミン類、および脂肪族トリアミン類から選択することができ、これらは、アルコキシ化されたものであっても、アルコキシ化されていないものであってもよい。
【０１００】
本発明の好ましい一実施形態において、式（Ｉ）で表される脂肪族アミンの含有量は、脂肪族アミン混合物の総重量に対し、厳密に１００重量％未満である。
【０１０１】
本発明の好ましい一実施形態において、式（Ｉ）で表される脂肪族アミンの含有量は、脂肪族アミン混合物の総重量に対し、９０〜９９．９重量％である。
【０１０２】
（過塩基性清浄剤と中性清浄剤）
本発明にかかるシリンダー潤滑剤は、金属炭酸塩によって過塩基化された、アルカリ金属又はアルカリ土類金属に基づく少なくとも一種の過塩基性清浄剤と、少なくとも一種の中性清浄剤とを含み、かつ、該潤滑剤の総重量に対する過塩基性清浄剤の質量百分率は、該シリンダー潤滑剤の全ＢＮのうち、金属炭酸塩の寄与によるＢＮが、潤滑剤１グラムあたりの値として２０ｍｇＫＯＨ／ｇ以上となるように選択されている。
【０１０３】
本発明にかかるシリンダー潤滑剤において使用される清浄剤は、当業者に周知の清浄剤である。
【０１０４】
潤滑剤を処方する際に一般的に用いられる清浄剤は、親油性の炭化水素含有長鎖と親水性の頭部とを有するアニオン性化合物が通例である。これに結合するカチオンは、通常、アルカリ金属又はアルカリ土類金属の金属カチオンである。
【０１０５】
好ましくは、本発明にかかる清浄剤は、アルカリ金属塩またはアルカリ土類金属の、カルボン酸塩、スルホン酸塩、サリチル酸塩、ナフテン酸塩および石炭酸塩から選択される。
【０１０６】
好ましくは、アルカリ金属およびアルカリ土類金属は、カルシウム、マグネシウム、ナトリウムまたはバリウムである。
【０１０７】
これらの金属塩は、前記清浄剤に含まれるアニオン性基に対し、ほぼ化学量論量で、金属を含むものであってもよい。この場合、清浄剤は、一定の塩基性を示すものの、過塩基化されていない清浄剤、あるいは「中性」清浄剤と称される。「中性」清浄剤が有するＢＮは、通常、ＡＳＴＭ  Ｄ−２８９６規格に準拠して測定される値で、清浄剤１グラムあたりの値として１５０ｍｇＫＯＨ／ｇ未満、清浄剤１グラムあたりの値として１００ｍｇＫＯＨ／ｇ未満、さらには、清浄剤１グラムあたりの値として８０ｍｇＫＯＨ／ｇ未満である。
【０１０８】
中性清浄剤と呼ばれるこの種の清浄剤は、本発明に係るシリンダー潤滑剤のＢＮに部分的に寄与する。かかる中性清浄剤として、例えば、アルカリ金属又はアルカリ土類金属（例えば、カルシウム、ナトリウム、マグネシウム、バリウムなど）の、カルボキシレート（カルボン酸塩）、スルホネート（スルホン酸塩）、サリチレート（サリチル酸塩）、フェネート（石炭酸塩）、ナフテネート（ナフテン酸塩）等が使用される。
【０１０９】
金属量が過剰となる場合（金属含有量が、清浄剤に含まれアニオン性基に対する化学量論量を超える場合）、清浄剤は、「過塩基性」と呼ばれる。そのＢＮは、清浄剤１グラムあたりの値として１５０ｍｇＫＯＨ／ｇ超と高く、典型的には清浄剤１グラムあたりの値として２００〜７００ｍｇＫＯＨ／ｇであり、好ましくは清浄剤１グラムあたりの値として２５０〜４５０ｍｇＫＯＨ／ｇである。
【０１１０】
清浄剤に過塩基性を付与する過剰量の金属は、油に不溶な金属塩（例えば炭酸塩、水酸化物塩、シュウ酸塩、酢酸塩、グルタミン酸塩などであり、好ましくは炭酸塩）の形態で存在する。
【０１１１】
一つの過塩基性清浄剤のうち、そのような不溶性の塩部位を構成する金属は、油溶性の清浄剤部位を構成する金属と同一であっても異なっていてもよい。これらの金属は、カルシウム、マグネシウム、ナトリウムおよびバリウムから選択されることが好ましい。
【０１１２】
こうして、過塩基性清浄剤は、不溶性の金属塩からなるミセルが、油溶性の金属塩の形態の清浄剤部位によって、前記シリンダー潤滑剤中に懸濁状態で維持された形態で存在することになる。
【０１１３】
これらのミセルは、一種以上の清浄剤／清浄剤部位によって安定化された、一種以上の不溶性の金属塩を有するものであってもよい。
【０１１４】
清浄剤／清浄剤部位に対して可溶な金属塩として一種類の金属しか含まない過塩基性清浄剤は、通常その疎水性鎖の種類に従って名付けられる。
【０１１５】
よって、過塩基性清浄剤がフェネート（石炭酸塩）、サリチレート（サリチル酸塩）、スルホネート（スルホン酸塩）またはナフテネート（ナフテン酸塩）である場合には、それぞれ、フェネートタイプ、サリチレートタイプ、スルホネートタイプ、ナフテネートタイプと呼ばれる。
【０１１６】
また、疎水性鎖の種類が相異なる複数種の清浄剤によってミセルが形成される場合、過塩基性清浄剤は「混合型」の過塩基性清浄剤と称される。
【０１１７】
本発明の一実施形態において、過塩基性清浄剤および中性清浄剤は、カルボキシレート、スルホネート、サリチレート、ナフテネート、フェネート、およびこれら少なくとも２種類の清浄剤を組み合わせた混合清浄剤からそれぞれ同一または異なって選択される。
【０１１８】
本発明の好ましい一実施形態において、過塩基性清浄剤および中性清浄剤は、カルシウム、マグネシウム、ナトリウムおよびバリウムから選択される金属に基づく化合物であり、より好ましくはカルシウムおよびマグネシウムから選択される金属に基づく化合物である。
【０１１９】
本発明の好ましい他の実施形態において、過塩基性清浄剤は、アルカリ金属の金属炭酸塩およびアルカリ土類金属の金属炭酸塩から選択される不溶性の金属塩によって過塩基化されており、より好ましくは前記不溶性の金属塩が炭酸カルシウムである。
【０１２０】
本発明の好ましい他の実施形態において、過塩基性清浄剤は、炭酸カルシウムによって過塩基化された、フェネート、スルホネート、およびフェネート−スルホネート−サリチレート混合清浄剤から選択され、より好ましくは炭酸カルシウムによって過塩基化された、スルホネートおよびフェネートから選択される。
【０１２１】
本発明にかかるシリンダー潤滑剤のＢＮの一部は、過塩基性清浄剤中の不溶性の金属塩、具体的には、金属炭酸塩によって付与される。
【０１２２】
金属炭酸塩によって付与されるＢＮ（「金属炭酸塩ＢＮ」や「ＢＮＣａＣＯ３」とも称される）は、後述する方法により、過塩基性清浄剤単独ベースでおよび／または最終的な潤滑剤ベースで測定される。過塩基性清浄剤では標準的に、金属炭酸塩により付与されるＢＮが、過塩基性清浄剤単独の全ＢＮの５０〜９５％を占める。
【０１２３】
なお、一部の中性清浄剤も、（過塩基性清浄剤よりも遥かに少ない量ではあるが）一定量の不溶性の金属塩（炭酸カルシウム）を有することにより、金属炭酸塩ＢＮに寄与する場合がある。
【０１２４】
本発明の一実施形態において、前記シリンダー潤滑剤の総重量に対する過塩基性清浄剤の質量百分率は、該シリンダー潤滑剤の全ＢＮのうち、金属炭酸塩の寄与によるＢＮが、潤滑剤１グラムあたりの値として２０〜９０ｍｇＫＯＨ／ｇ、好ましくは潤滑剤１グラムあたりの値として３０〜７０ｍｇＫＯＨ／ｇとなるように選択されている。
【０１２５】
本発明の他の実施形態において、前記シリンダー潤滑剤の総重量に対する過塩基性清浄剤の質量百分率は、該シリンダー潤滑剤の全ＢＮのうち、金属炭酸塩の寄与によるＢＮが、潤滑剤１グラムあたりの値として厳密に２０ｍｇＫＯＨ／ｇを超えるように選択されている。
【０１２６】
本発明の好ましい一実施形態において、前記シリンダー潤滑剤の総重量に対する過塩基性清浄剤の質量百分率は、該シリンダー潤滑剤の全ＢＮのうち、金属炭酸塩の寄与によるＢＮが、潤滑剤１グラムあたりの値として２０ｍｇＫＯＨ／ｇ超、９０ｍｇＫＯＨ／ｇ以下となるように選択されており、より好ましくは潤滑剤１グラムあたりの値として３０〜７０ｍｇＫＯＨ／ｇとなるように選択されている。
【０１２７】
上記不溶性の金属塩は、潤滑剤中において安定したミセルの形態で分散した状態が維持されている限り、好適な耐摩耗効果も発揮することができる。
【０１２８】
また、本発明にかかるシリンダー潤滑剤のＢＮには、清浄剤として実際に機能する部位からの寄与も含まれる。この部位は、本質的に、フェネート系、スルホネート系又はサリチレート系の、清浄剤セッケン部であってもよい。
【０１２９】
従って、本発明にかかるシリンダー潤滑剤のＢＮ（ＡＳＴＭ  Ｄ２８９６規格に基づいて測定される）は、
１）過塩基性清浄剤および中性清浄剤の不溶性の金属塩によって付与されるＢＮ（「金属炭酸塩ＢＮ」や「ＢＮＣａＣＯ３」とも呼ばれ、後述する方法によって測定される）；および、
２）付加的な（他の）ＢＮ（以下、「有機ＢＮ」と称する）
とを、少なくとも含む、複数の異なる要素から構成されており、
前記付加的なＢＮは、潤滑剤の全ＢＮ（ＡＳＴＭ  Ｄ−２８９６規格）と該潤滑剤の金属炭酸塩によるＢＮとの差として測定され、
過塩基性清浄剤（場合によっては、中性清浄剤）の金属セッケン部と、
脂肪族アミン類とによって付与される（後者、アミンＢＮは、ＡＳＴＭ  Ｄ−２８９６規格に基づいて測定される脂肪族アミン類のＢＮと、該脂肪族アミン類の質量百分率との関数として決定される）。
【０１３０】
本発明の一実施形態において、前記シリンダー潤滑剤の総重量に対する過塩基性清浄剤および中性清浄剤の質量百分率は、シリンダー潤滑剤の全ＢＮのうち、それらの清浄剤セッケン部により付与される有機ＢＮが、潤滑剤１グラムあたりの値として１０ｍｇＫＯＨ／ｇ以上となるように選択され、好ましくは潤滑剤１グラムあたりの値として１０〜６０ｍｇＫＯＨ／ｇとなるように選択され、より好ましくは潤滑剤１グラムあたりの値として１０〜４０ｍｇＫＯＨ／ｇとなるように選択される。
【０１３１】
本発明の他の実施形態において、前記シリンダー潤滑剤の総重量に対する過塩基性清浄剤の質量百分率は、８〜３０％であり、好ましくは１０〜３０％である。
【０１３２】
本発明の他の実施形態において、前記シリンダー潤滑剤の総重量に対する中性清浄剤の質量百分率は、５〜１５％であり、好ましくは５〜１０％である。
【０１３３】
本発明にかかるシリンダー潤滑剤のＢＮは、アルカリ金属又はアルカリ土類金属に基づく少なくとも一種の過塩基性清浄剤と、少なくとも一種の中性清浄剤と、式（Ｉ）で表される少なくとも一種の脂肪族アミンとによって付与される。
【０１３４】
このＢＮの数値は、ＡＳＴＭ  Ｄ−２８９６規格に基づいて測定される値で、潤滑剤１グラムあたりの値として５０ｍｇＫＯＨ／ｇ以上である。
【０１３５】
船舶エンジン用のシリンダー潤滑剤のＢＮは、その潤滑剤の使用条件に応じて選択されるものであり、具体的には、そのシリンダー潤滑剤と共に使用される燃料油の硫黄含有量に従って選択される。
【０１３６】
本発明の一実施形態において、前記シリンダー潤滑剤のＢＮは、潤滑剤１グラムあたりの値として５０〜１００ｍｇＫＯＨ／ｇであってもよく、好ましくは潤滑剤１グラムあたりの値として６０〜９０ｍｇＫＯＨ／ｇであってもよい。
【０１３７】
本発明の好ましい一実施形態において、前記シリンダー潤滑剤のＢＮは、潤滑剤１グラムあたりの値として６５〜８０ｍｇＫＯＨ／ｇであってもよく、より好ましくは潤滑剤１グラムあたりの値として６５〜７５ｍｇＫＯＨ／ｇであってもよい。
【０１３８】
（潤滑剤基油）
一般的に、本発明にかかるシリンダー潤滑剤を処方する際に用いられる潤滑剤基油は、鉱物由来の基油（鉱物基油）、合成由来の基油（合成基油）、植物由来の基油（植物基油）、またはこれらの混合物であってもよい。
【０１３９】
この用途に一般的に用いられる鉱物基油や合成基油は、以下にまとめたＡＰＩ分類のグループ１〜５（あるいは、ＡＴＩＥＬ分類によるこれらの等価物）に属する基油である。さらに、本発明にかかるシリンダー潤滑剤中において使用される潤滑剤基油は、ＡＴＩＥＬ分類のグループ６の合成由来の基油（合成基油）からも選択されてよい。なお、ＡＰＩ分類は、米国石油協会から2012年9月刊行の1509 “Engine oil Licensing and Certification System” 17th editionにおいて定義されている。
【０１４０】
なお、ＡＴＩＥＬ分類については、2012年11月刊行の"The ATIEL Code of Practice", number 18において定義されている。
【０１４１】
【表２】
0006324492.tif 000003
【０１４２】
グループ１の鉱物基油は、選択されたナフテン系原油またはパラフィン系原油を蒸留した後、その留分を溶剤抽出、溶剤脱ろう、接触脱ろう、水素化処理、水添処理等の工程で精製することによって得られる。
【０１４３】
グループ２およびグループ３の基油は、より厳しい精製工程、例えば、水素化処理と水素化分解と水添処理と接触脱ろうとの組合せ等によって得られる。
【０１４４】
グループ４およびグループ５の合成基油の例として、ポリイソブテン類、アルキルベンゼン類、ポリαオレフィン類（例えば、ポリブテン類など）等が挙げられる。
【０１４５】
これらの潤滑剤基油は、単独でも使用可能であるし、混合物としても使用可能である。鉱物基油は、合成基油と組み合わせて用いてもよい。
【０１４６】
２ストローク船舶エンジン用のシリンダーオイルの粘度グレードは、ＳＡＥ−４０からＳＡＥ−６０であり、一般的にはＳＡＥ−５０である。これは、ＡＳＴＭ  Ｄ４４５に準拠して測定される１００℃の動粘度で１６．３〜２１．９ｍｍ２／ｓに相当する。
【０１４７】
粘度グレードＳＡＥ−４０のオイルは、ＡＳＴＭ  Ｄ４４５規格に準拠して測定される１００℃での動粘度が１２．５〜１６．３ｃＳｔである。
【０１４８】
粘度グレードＳＡＥ−５０のオイルは、ＡＳＴＭ  Ｄ４４５規格に準拠して測定される１００℃での動粘度が１６．３〜２１．９ｃＳｔである。
【０１４９】
粘度グレードＳＡＥ−６０のオイルは、ＡＳＴＭ  Ｄ４４５規格に準拠して測定される１００℃での動粘度が２１．９〜２６．１ｃＳｔである。
【０１５０】
本発明の好ましい一実施形態において、前記シリンダー潤滑剤は、ＡＳＴＭ  Ｄ４４５規格に準拠して測定される１００℃での動粘度が１２．５〜２６．１ｃＳｔであり、より好ましくは１６．３〜２１．９ｃＳｔである。
【０１５１】
このような粘度は、例えば、各種添加剤と各種基油、例えば、ニュートラルソルベント
基油（例えば、５００  ＮＳ、６００  ＮＳなど）、ブライトストックなどの、グループ１の複数種の鉱物基油を含む基油混合物、とを混合させることで得られる。またそれ以外でも、添加剤との混合物として、グレードＳＡＥ−５０に相当する粘度を持つものとできれば、鉱物起源、合成起源、植物起源の基油のいかなる組み合わせを用いてもよい。
【０１５２】
２ストローク船舶エンジン用のシリンダー潤滑剤の標準的な処方物は、典型的には、（ＳＡＥ  Ｊ３００分類に準拠して）ＳＡＥ−４０からＳＡＥ−６０のグレードを有し（好ましくはＳＡＥ−５０であり）、かつ、船舶エンジンでの使用に適合するように、鉱物系基油、合成基油、またはこれらの混合基油からなる潤滑剤基油を、少なくとも４０重量％含有する。例えば、シリンダー潤滑剤の処方には、ＡＰＩ分類でグループ１の潤滑剤基油を用いてもよく、この基油は、選択した原油を蒸留した後、その留分を溶剤抽出、溶剤脱ろう、接触脱ろう、水素化処理、水添処理等の工程で精製することによって得ることができる。
グループ１の潤滑剤基油は、８０〜１２０の粘度指数（ＶＩ）を有し、その硫黄含有量は０．０３％を超え、飽和炭化水素含有化合物の含有量は９０％未満である。
【０１５３】
典型的には、２ストローク船舶エンジン用のシリンダー潤滑剤の標準的処方物は、潤滑剤の総重量に対し、ＢＳＳタイプのグループ１の基油を１８〜２５重量％含み、６００  ＮＳタイプのグループ１の基油を５０〜６０％含む。前者は、１００℃での動粘度が約３０ｍｍ２／ｓ、典型的には２８〜３２ｍｍ２／ｓで、１５℃での比重が８９５〜９１５ｋｇ／ｍ３である、蒸留残渣からなり、後者は、１００℃での動粘度が約１２ｍｍ２／ｓで、１５℃での比重が８８０〜９００ｋｇ／ｍ３である留分からなる。
【０１５４】
（その他の添加剤）
本発明の一実施形態において、前記シリンダー潤滑剤は、
炭素数１２以上（好ましくは炭素数１２〜２４、より好ましくは炭素数１６〜１８）の直鎖状又は分岐鎖状の、飽和又は不飽和のアルキル鎖を有する、第一級脂肪族モノアルコール類、第二級脂肪族モノアルコール類、および第三級脂肪族モノアルコール類（有利には、直鎖状の飽和アルキル鎖を有する第一級モノアルコール類）と、
炭素数１４以上の飽和モノ脂肪酸と炭素数６以下のアルコールとのエステル類（好ましくはモノエステル類およびジエステル類、有利にはモノアルコールによるモノエステル類およびエステル官能基間の距離が該エステル官能基の酸素側から数えて炭素原子４個以下であるポリオールによるジエステル類）、
から選択される、付加的な化合物、
をさらに含んでもよい。
【０１５５】
本発明の好ましい一実施形態において、前記シリンダー潤滑剤は、
炭素数１６〜１８の直鎖状又は分岐鎖状の飽和又は不飽和のアルキル鎖を有する、第一級脂肪族モノアルコール類、第二級脂肪族モノアルコール類、および第三級脂肪アルコール類（有利には、直鎖状の飽和アルキル鎖を有する第一級モノアルコール類）から選択される、付加的な化合物、
をさらに含んでもよい。
【０１５６】
本発明の一実施形態において、前記付加的な化合物の含有量は、前記シリンダー潤滑剤の総重量に対して０．０１〜１０重量％、好ましくは０．１〜２重量％である。
【０１５７】
前記シリンダー潤滑剤は、さらに、分散剤、耐摩耗剤およびその他の機能性添加剤から選択される、少なくとも一種の、別の添加剤を含んでもよい。
【０１５８】
分散剤は、潤滑剤組成物を処方するうえで（特に、船舶分野の用途において）用いられる周知の添加剤である。その第一の役割は、潤滑剤中に、最初から存在していたか、又はエンジン内での使用中に出現した粒子を、懸濁状態に維持することである。分散剤は、立体的な障害により、そのような粒子同士が凝集するのを防ぐ。分散剤は、さらに、中和についても相乗効果を示すことができる。
【０１５９】
潤滑剤の添加剤として用いられる分散剤は、典型的には、極性基を含み、これに比較的長い（一般的には、炭素数が５０〜４００を有する）炭化水素含有鎖が結合している。前記極性基は、窒素、酸素又はリンの少なくとも一つの元素を有する。
【０１６０】
コハク酸から誘導された化合物は、特に、潤滑剤の添加剤として用いられる分散剤である。なかでも特に、コハク酸無水物とアミンとの縮合によって得られるコハク酸イミド類や、コハク酸無水物とアルコール又はポリオールとの縮合によって得られるコハク酸エステル類が利用される。
【０１６１】
これらの化合物は、さらに、例えば、ホウ素化コハク酸イミド類や亜鉛封鎖コハク酸イミド類等を生成するため、様々な化合物（特に、硫黄、酸素、ホルムアルデヒド、カルボン酸、またはホウ素もしくは亜鉛を含む化合物）により処理してもよい。
【０１６２】
潤滑剤中で分散剤として利用される化合物としては、アルキル基で置換されたフェノールと、ホルムアルデヒドと、第一級アミン又は第二級アミンを縮合重合することによって得られるマンニッヒ塩基も挙げることができる。
【０１６３】
本発明の一実施形態において、分散剤の含有量は、前記シリンダー潤滑剤の総重量に対し０．１重量％以上であり、好ましくは０．５〜２重量％、有利には１〜１．５重量％である。
【０１６４】
耐摩耗剤は、保護対象の摩擦面に吸着されることで保護膜を形成しその表面を保護する。最も良く利用されている耐摩耗剤は、亜鉛ジチオホスフェート類（ＤＴＰＺｎ）である。そのほかにも、耐摩耗剤として、リン、硫黄、窒素、塩素、ホウ素などを含有する各種の化合物を挙げることができる。
【０１６５】
多種多様な耐摩耗剤が存在するなか、最も頻繁に利用される耐摩耗剤の種類は、リン−硫黄含有添加剤であり、例えば金属アルキルチオホスフェート類、特に亜鉛アルキルチオホスフェート類、より特に、亜鉛ジアルキルジチオホスフェート類（ＤＴＰＺｎ）を挙げることができる。そのなかでも、式：Ｚｎ（（ＳＰ（Ｓ）（ＯＲ３）（ＯＲ４）））２［式中、Ｒ３およびＲ４は、アルキル基（好ましくは、炭素数１〜１８のアルキル基）である。］で表される化合物が好適である。一典型例として、ＤＴＰＺｎの含有量は、前記シリンダー潤滑剤の総重量に対しておよそ０．１〜２重量％である。
【０１６６】
また、アミンホスフェート類、ポリスルフィド類（特には、含硫黄オレフィン類）等も、耐摩耗剤としてよく使用されるものである。
【０１６７】
また、シリンダー潤滑剤には、含窒素系や含硫黄系の耐摩耗・極圧剤、例えば金属ジチオカルバメート類、特にはモリブデンジチオカルバメート類も、よく利用されている。グリセロールエステル類も耐摩耗剤として用いられ、例えば、グリセロールモノオレエート類、グリセロールジオレエート類、グリセロールトリオレエート類、グリセロールモノパルミテート類、グリセロールモノミリステート類等も挙げられる。
【０１６８】
一実施形態において、耐摩耗剤の含有量は、前記シリンダー潤滑剤の総重量に対して０．０１〜６重量％であり、好ましくは０．１〜４重量％である。
【０１６９】
他の機能性添加剤としては、増ちょう剤、消泡剤、酸化防止剤、防錆剤から選択した少なくとも一種を用いることができる。清浄剤の副作用に対抗するための消泡剤の例としては、ポリメチルシロキサン、ポリアクリレート等の極性ポリマーが挙げられる。防錆剤の例として、有機金属系清浄剤、チアジアゾール類（当業者にとって既知の化合物である）等が挙げられる。これらの添加剤は、一般的にシリンダー潤滑剤の総重量に対して０．１〜５重量％の量で含有される。
【０１７０】
本発明の好ましい一実施形態において、前記シリンダー潤滑剤は、
少なくとも一種の基油を５５〜８５％と、
式（Ｉ）で表される少なくとも一種の脂肪族アミンを含有する脂肪族アミン混合物であって、前記式（Ｉ）で表される少なくとも一種の脂肪族アミンの含有量が総重量に対し、９０重量％以上、より好ましくは厳密に１００重量％未満、有利には９０〜９９．９重量％となる、脂肪族アミン混合物を２〜１０％と、
金属炭酸塩によって過塩基化された、アルカリ金属又はアルカリ土類金属に基づく少なくとも一種の過塩基性清浄剤を８〜３０％と、
少なくとも一種の中性清浄剤を５〜１５％と、
を含む、潤滑剤である。
【０１７１】
本発明の好ましい他の実施形態において、前記シリンダー潤滑剤は、
少なくとも一種の基油を５５〜８５％と、
式（Ｉ）で表される少なくとも一種の脂肪族アミンを含有する脂肪族アミン混合物であって、前記式（Ｉ）で表される少なくとも一種の脂肪族アミンの含有量が総重量に対し、９０重量％以上、より好ましくは厳密に１００重量％未満、有利には９０〜９９．９重量％となる、脂肪族アミン混合物を２〜１０％と、
金属炭酸塩によって過塩基化された、アルカリ金属又はアルカリ土類金属に基づく少なくとも一種の過塩基性清浄剤を８〜３０％と、
少なくとも一種の中性清浄剤を５〜１５％と、
で本質的に構成された、潤滑剤である。
【０１７２】
なお、基油、脂肪族アミン、過塩基性清浄剤、中性清浄剤、潤滑剤の全ＢＮに対する式（Ｉ）で表される脂肪族アミンの寄与と過塩基性清浄剤の寄与について、先に説明した全ての特性および好適な構成は、上記のシリンダー潤滑剤にも適用できる。
【０１７３】
本発明の好ましい一実施形態において、前記シリンダー潤滑剤は、
少なくとも一種の基油を４５〜８４．９９％と、
式（Ｉ）で表される少なくとも一種の脂肪族アミンを含有する脂肪族アミン混合物であって、前記式（Ｉ）で表される少なくとも一種の脂肪族アミンの含有量が総重量に対し、９０重量％以上、より好ましくは厳密に１００重量％未満、有利には９０〜９９．９重量％となる、脂肪族アミン混合物を２〜１０％と、
金属炭酸塩によって過塩基化された、アルカリ金属又はアルカリ土類金属に基づく少なくとも一種の過塩基性清浄剤を８〜３０％と、
少なくとも一種の中性清浄剤を５〜１５％と、
炭素数１２以上（より好ましくは炭素数１２〜２４、さらに好ましくは炭素数１６〜１８）の直鎖状又は分岐鎖状の飽和又は不飽和のアルキル鎖を有する、第一級脂肪族モノアルコール類、第二級脂肪族モノアルコール類、および第三級脂肪族モノアルコール類（有利には、直鎖状の飽和アルキル鎖を有する第一級モノアルコール類）から選択される、少なくとも一種のさらなる化合物を０．０１〜１０％と、
を含む。
【０１７４】
本発明の好ましい他の実施形態において、前記シリンダー潤滑剤は、
少なくとも一種の基油を４５〜８４．９９％と、
式（Ｉ）で表される少なくとも一種の脂肪族アミンを含有する脂肪族アミン混合物であって、前記式（Ｉ）で表される少なくとも一種の脂肪族アミンの含有量が総重量に対し、９０重量％以上、より好ましくは厳密に１００重量％未満、有利には９０〜９９．９重量％となる、脂肪族アミン混合物を２〜１０％と、
金属炭酸塩によって過塩基化された、アルカリ金属又はアルカリ土類金属に基づく少なくとも一種の過塩基性清浄剤を８〜３０％と、
少なくとも一種の中性清浄剤を５〜１５％と、
炭素数１２以上（より好ましくは炭素数１２〜２４、さらに好ましくは炭素数１６〜１８）の直鎖状又は分岐鎖状の飽和又は不飽和のアルキル鎖を有する、第一級脂肪族モノアルコール類、第二級脂肪族モノアルコール類、および第三級脂肪族モノアルコール類（有利には、直鎖状の飽和アルキル鎖を有する第一級モノアルコール類）から選択される、少なくとも一種のさらなる化合物を０．０１〜１０％と、
で本質的に構成される。
【０１７５】
なお、基油、脂肪族アミン、過塩基性清浄剤、中性清浄剤、他の添加剤、潤滑剤の全ＢＮに対する式（Ｉ）で表される脂肪族アミンの寄与と過塩基性清浄剤の寄与について、先に説明した全ての特性および好適な構成は、上記のシリンダー潤滑剤にも適用できる。
【０１７６】
本発明の主題の一つは、さらに、前記シリンダー潤滑剤の使用であって、２ストローク船舶エンジンを潤滑するための使用である。
【０１７７】
なお、シリンダー潤滑剤について説明した全ての特性および好適な構成は、上記の使用にも適用できる。
【０１７８】
本発明の他の主題は、前記シリンダー潤滑剤の使用であって、総重量に対する硫黄含有量が１重量％未満である燃料油、総重量に対する硫黄含有量が１〜３．５重量である燃料油、および総重量に対する硫黄含有量が３．５重量％を超える燃料油のいずれを用いる際にも、一種類だけで使用できる、シリンダー潤滑剤としての使用である。
【０１７９】
一実施形態において、本発明のさらなる他の主題は、前記シリンダー潤滑剤の使用であって、総重量に対する硫黄含有量が１重量％未満である燃料油と、総重量に対する硫黄含有量が１〜３．５重量％である燃料油のどちらを用いる際にも、一種類だけで使用できる、
シリンダー潤滑剤としての使用である。
【０１８０】
なお、シリンダー潤滑剤について説明した全ての特性および好適な構成は、上記の使用にも当てはまる。
【０１８１】
本発明のさらなる他の主題は、前記シリンダー潤滑剤の使用であって、総重量に対する硫黄含有量が３．５重量％以下となるいかなる種類の燃料油を燃焼する際にも、２ストローク船舶エンジンの腐食を防止するため、かつ／または、２ストローク船舶エンジンでの不溶性の金属塩堆積物の形成を抑制するための使用である。
【０１８２】
なお、シリンダー潤滑剤について説明した全ての特性および好適な構成は、上記の使用にも当てはまる。
【０１８３】
先に定義した、本発明にかかるシリンダー潤滑剤中に含まれる各種化合物、特に、式（Ｉ）で表される脂肪族アミン、金属炭酸塩によって過塩基化された、アルカリ金属又はアルカリ土類金属に基づく過塩基性清浄剤、および中性清浄剤は、それぞれ別個の添加剤として該シリンダー潤滑剤中に配合されたものであってもよく、例えば、それぞれ個別に基油に添加されることで配合されたものであってもよい。
【０１８４】
但し、これらの各種化合物は、シリンダー潤滑剤用の添加剤濃縮物の形態で配合されたものであってもよい。
【０１８５】
よって、本発明の他の主題は、ＡＳＴＭ  Ｄ−２８９６規格に準拠して測定される値で潤滑剤１グラムあたりの値として５０ｍｇＫＯＨ／ｇ以上のＢＮを有するシリンダー潤滑剤を調製するために用いられる添加剤濃縮物であって、
該濃縮物は、濃縮物１グラムあたりの値として１００〜４００ｍｇＫＯＨ／ｇのＢＮを有し、かつ、
金属炭酸塩によって過塩基化された、アルカリ金属又はアルカリ土類金属に基づく少なくとも一種の過塩基性清浄剤と、
少なくとも一種の中性清浄剤と、
式（Ｉ）：Ｒ１−［ＮＲ２（ＣＨ２）３］３−ＮＨ２（式中、Ｒ１は、炭素数１４以上の直鎖状又は分岐鎖状の飽和又は不飽和のアルキル基であり、Ｒ２は、水素原子、あるいは、式：−（ＣＨ２）２ＯＨで表される基である。）で表され、ＡＳＴＭ  Ｄ−２８９６規格に準拠して測定される値で、１グラムあたりの値として１５０〜６００ｍｇＫＯＨ／ｇのＢＮを有する、少なくとも一種の脂肪族アミンと、
を含み、
該濃縮物中の前記脂肪族アミンの質量百分率は、該濃縮物のＢＮに対する寄与が、ＡＳＴＭ  Ｄ−２８９６規格に準拠して測定される値で、濃縮物１グラムあたりの値として２０〜３００ｍｇＫＯＨ／ｇとなるように選択されている、添加剤濃縮物である。
【０１８６】
なお、式（Ｉ）で表される脂肪族アミンについて説明した全ての特性および好適な構成は、上記の添加剤濃縮物にも当てはまる。
【０１８７】
本発明の一実施形態において、前記添加剤濃縮物は、
金属炭酸塩によって過塩基化された、アルカリ金属又はアルカリ土類金属に基づく少なくとも一種の過塩基性清浄剤と、
少なくとも一種の中性清浄剤と、
炭素数１２以上（好ましくは炭素数１２〜２４、より好ましくは炭素数１６〜１８）の直鎖状又は分岐鎖状の飽和又は不飽和のアルキル鎖を有する、第一級脂肪族モノアルコール類、第二級脂肪族モノアルコール類、および第三級脂肪族モノアルコール類（有利には、直鎖状の飽和アルキル鎖を有する第一級モノアルコール類）から選択される、少なくとも一種のさらなる化合物と、
式（Ｉ）：Ｒ１−［ＮＲ２（ＣＨ２）３］３−ＮＨ２（式中、Ｒ１は、炭素数１４以上の直鎖状又は分岐鎖状の飽和又は不飽和のアルキル基であり、Ｒ２は、水素原子、あるいは、式：−（ＣＨ２）２ＯＨで表される基である。）で表され、ＡＳＴＭ  Ｄ−２８９６規格に準拠して測定される値で、アミン１グラムあたりの値として１５０〜６００ｍｇＫＯＨ／ｇのＢＮを有する、少なくとも一種の脂肪族アミンと、
を含むものであってもよい。
【０１８８】
本発明の他の実施形態において、前記添加剤濃縮物は、
金属炭酸塩によって過塩基化された、アルカリ金属又はアルカリ土類金属に基づく少なくとも一種の過塩基性清浄剤を３０〜７１％と、
少なくとも一種の中性清浄剤を２０〜５０％と、
式（Ｉ）：Ｒ１−［ＮＲ２（ＣＨ２）３］３−ＮＨ２（式中、Ｒ１は、炭素数１４以上の直鎖状又は分岐鎖状の飽和又は不飽和のアルキル基であり、Ｒ２は、水素原子、あるいは、式：−（ＣＨ２）２ＯＨで表される基である。）で表され、ＡＳＴＭ  Ｄ−２８９６規格に準拠して測定される値で、アミン１グラムあたりの値として１５０〜６００ｍｇＫＯＨ／ｇのＢＮを有する、少なくとも一種の脂肪族アミンを９〜３０％と、
を含むものであってもよい。
【０１８９】
本発明の他の実施形態において、前記添加剤濃縮物は、
金属炭酸塩によって過塩基化された、アルカリ金属又はアルカリ土類金属に基づく少なくとも一種の過塩基性清浄剤を３０〜７０．６％と、
少なくとも一種の中性清浄剤を２０〜５０％と、
炭素数１２以上（好ましくは炭素数１２〜２４、より好ましくは炭素数１６〜１８）の直鎖状又は分岐鎖状の飽和又は不飽和のアルキル鎖を有する、第一級脂肪族モノアルコール類、第二級脂肪族モノアルコール類、および第三級脂肪族モノアルコール類（有利には、直鎖状の飽和アルキル鎖を有する第一級モノアルコール類）から選択される、少なくとも一種のさらなる化合物を０．４〜２５％と、
式（Ｉ）：Ｒ１−［ＮＲ２（ＣＨ２）３］３−ＮＨ２（式中、Ｒ１は、炭素数１４以上の直鎖状又は分岐鎖状の飽和又は不飽和のアルキル基であり、Ｒ２は、水素原子、あるいは、式：−（ＣＨ２）２ＯＨで表される基である。）で表され、ＡＳＴＭ  Ｄ−２８９６規格に準拠して測定される値で、アミン１グラムあたりの値として１５０〜６００ｍｇＫＯＨ／ｇのＢＮを有する、少なくとも一種の脂肪族アミンを９〜３０％と、
を含むものであってもよい。
【０１９０】
なお、脂肪族アミン、過塩基性清浄剤、中性清浄剤、および付加的な化合物について説明した全ての特性および好適な構成は、上記の添加剤濃縮物にも適用される。
【０１９１】
本発明の一実施形態では、本発明にかかるシリンダー潤滑剤が得るために、少なくとも一種の基油を、前記本発明にかかる添加剤濃縮物に添加してもよい。
【０１９２】
本発明の他の主題は、２ストローク船舶エンジンを潤滑する方法であって、該エンジンを前記シリンダー潤滑剤または前記添加剤濃縮物から得られたシリンダー潤滑剤と接触させる工程を少なくとも含む方法に関する。
【０１９３】
シリンダー潤滑剤や添加剤濃縮物について説明した全ての特性および好適な構成は、上記の潤滑方法にも適用される。
【０１９４】
本発明のさらなる他の主題は、総重量に対する硫黄含有量が３．５重量％未満のいかなる種類の燃料油を燃焼する際にも、２ストローク船舶エンジンの腐食を防止し、かつ／または、該エンジンにおける不溶性の金属塩堆積物の形成を抑制する方法であって、前記エンジンを前記シリンダー潤滑剤または前記添加剤濃縮物から得られたシリンダー潤滑剤と接触させる工程を少なくとも含む方法に関する。
【０１９５】
シリンダー潤滑剤や添加剤濃縮物について、先に説明した全ての特性および好適な構成は、上記の方法にも適用される。
【０１９６】
本発明の様々な主題およびそれらの実施態様は、後述の実施例を参照することによってさらに理解することができる。なお、後述の実施例はあくまでも例示に過ぎず、本発明を限定するものではない。
【０１９７】
（過塩基性清浄剤を含むシリンダー潤滑剤のＢＮに対する、該過塩基性清浄剤中の不溶性の金属塩による寄与分を測定する方法）
過塩基性清浄剤を含むシリンダー潤滑剤のＢＮに対する、該過塩基性清浄剤中に存在する不溶性の金属塩による寄与の測定可能な方法は、下記のように定められる。
【０１９８】
シリンダー潤滑剤または過塩基性清浄剤の塩基性の基準（ＢＮ、あるいは塩基価とも称する）の全体的な測定は、ＡＳＴＭ  Ｄ２８９６規格の方法によって実行される。このＢＮは、２種類の異なる形態からなる。
一つは、清浄剤を金属炭酸塩、一般的には炭酸カルシウム、で過塩基化することによって付与される炭酸塩ＢＮ（以降では、「ＢＮＣａＣＯ３」とも記載する）であり、
一つは、基本的にフェネート系、スルホネート系又はサリチレート系の清浄剤の金属セッケン部によって付与される、いわゆる「有機ＢＮ」である。
【０１９９】
炭酸塩ＢＮ（以下、ＢＮＣａＣＯ３とも記載する）は、下記の手法により、シリンダー潤滑剤ベースまたは、過塩基性清浄剤単独ベースで測定される。この測定法は、試料中の過塩基化剤：炭酸塩（炭酸カルシウム）を硫酸で攻撃する際の原理を利用する。炭酸塩は、下記の反応によって炭酸ガスを放出し、硫酸カルシウムに変換される：
【０２００】
【化１】
0006324492.tif 000004
【０２０１】
反応器の容積は一定に保たれ、圧力は、ＣＯ２の放出量に比例して増加する。
【０２０２】
（手順）
差圧マノメータ付きの栓を備えた、容積１００ｍｌの反応槽中において、必要量のＢＮＣａＣＯ３の測定対象物を計量する。その際、その差圧マノメータの計測限界となる６００ｍｂ（ミリバール）の圧力増加を超えることがないようにする。この量は、図２のグラフから決定される。図２は、対象物の各質量（１〜１０グラムの）について、差圧マノメータで測定される圧力（ＣＯ２の放出による圧力増加に相当）を、試料（対象物）中のＢＮＣａＣＯ３の比例関数として表したものである。ＢＮＣａＣＯ３の測定値が不明の場合には、対象物の量を適当量として約４ｇとする。いずれの場合にも、試料の質量（ｍ）を記録する。
【０２０３】
上記反応槽は、パイレックス（登録商標）、ガラス、ポリカーボネート、その他、周囲媒体との熱交換を促進し、内部温度を周囲媒体の温度と急速に平衡状態に到達させ得る材料であれば、いかなる材料からなる反応槽であってもよい。
【０２０４】
少量の液状基油（６００  ＮＳタイプの基油）を、小型の磁気撹拌棒を内蔵する上記反応槽に投入する。
【０２０５】
ついで、約２ｍｌの濃硫酸を、この段階では反応槽内の媒体を撹拌しないように注意しながら、上記反応槽に注入する。
【０２０６】
上記のマノメータ付き栓（栓−マノメータアセンブリ）を反応槽にねじ込む。ねじ山部分に油を差しておいてもよい。完全に密封されるように締め付ける。
【０２０７】
撹拌を開始する。この撹拌は、圧力が安定化すると共に温度が周囲媒体と平衡状態に到達するまで続ける。３０分もすれば十分である。圧力の増加（Ｐ）および温度Ｔ℃の増加（σ）を記録する。
【０２０８】
この装置をヘプタン系溶剤で洗浄する。
【０２０９】
（計算方法）
計算では、理想気体の状態方程式：ＰＶ＝ｎＲＴを利用する。
式中のＰをＣＯ２の分圧（Ｐａ）（１Ｐａ＝１０−２ｍｂ）、Ｖを容器の容積（ｍ３）、Ｒ＝８．３２（Ｊ）、Ｔ＝２７３＋σ（℃）＝（°Ｋ）、ｎを放出されるＣＯ２のモル数とすると、下記のように、記載できる。
【０２１０】
【数１】
0006324492.tif 000005
【０２１１】
（ＣＯ２のモル数の算出）
ｍを対象物の質量（グラム単位）、炭酸塩ＢＮ（carbonate BN）を１グラムあたりの値としてのＫＯＨ当量で示されるＢＮとすると、
ｍ×炭酸塩ＢＮ＝ｍｇＫＯＨ当量
となる。
放出されるＣＯ２のグラム量、すなわち放出されるＣＯ２のモル数は、下記のように記載でき、従って、その次の式が成立する。
【０２１２】
【数２】
0006324492.tif 000006
【０２１３】
【数３】
0006324492.tif 000007
【０２１４】
（炭酸塩ＢＮの関数としてのＣＯ２圧力の計算式）
【０２１５】
【数４】
0006324492.tif 000008
【０２１６】
（ＣＯ２圧力から炭酸塩ＢＮを算出する計算式）
【０２１７】
【数５】
0006324492.tif 000009
【０２１８】
試験条件に関する数値を固定することにより、以下の簡略化した式が得られる：
ＰＣＯ２を、差圧マノメータの読取値（ｍｂａｒ）＝Ｐreadとし、
容器の容積Ｖ（ｍ３）＝０．０００１、
Ｒ＝８．３２（Ｊ）、
Ｔ＝２７３＋σ（℃）＝（°Ｋ）、σは、周囲温度の読取値、
ｍ＝反応槽に投入される対象物の質量として、
【０２１９】
【数６】
0006324492.tif 000010
【０２２０】
【数７】
0006324492.tif 000011
【０２２１】
結果として、ｍｇＫＯＨ／ｇで示される、ＢＮＣａＣＯ３が得られる。
【０２２２】
清浄剤の金属セッケン部によって付与されるＢＮ、「有機ＢＮ」とも称する、は、ＡＳＴＭ  Ｄ２８９６規格に準拠した全ＢＮと上記のようにして測定されたＢＮＣａＣＯ３との差として得られる。
【０２２３】
（潤滑剤の硫酸中和効率を測定するエンタルピー試験）
以下に、潤滑剤の硫酸中和効率を測定し得る、エンタルピー試験法は、以下のように定められる。：
【０２２４】
潤滑剤（特には、２ストローク船舶エンジン用のシリンダー潤滑剤）中に含まれる塩基性サイトの、酸分子にとっての利用可能性（すなわち、アクセス可能性）は、中和率又は中和速度（中和カイネティクス）を監視する動的試験によって定量化することができる。
【０２２５】
（原理）
酸−塩基中和反応は、一般的に発熱反応である。したがって、試験対象の潤滑剤と硫酸の反応による熱放出を測定することができる。この熱放出は、デュワー型の断熱反応器内の温度の経時的変化によって監視することができる。
【０２２６】
これらの測定に基づき、参照用の潤滑剤に対比した場合の、本発明にかかる潤滑剤の、所定量の酸の添加（中和すべきＢＮの固定量を示す）に対する中和効率を定量化した指数を算出することができる。下記の例では、ＢＮが７０である潤滑剤を試験する際には、ＢＮポイント＝７０の中和当量の酸が添加されることになる。
【０２２７】
中和効率指数は、対比される参照用のオイル（潤滑剤）の指数値を１００として算出される。これは、参照物の中和反応時間（Ｓｒｅｆ）と測定試料の中和反応時間（Ｓｍｅｓ）との比から、下記のように記載できる。
中和効率指数＝Ｓｒｅｆ／Ｓｍｅｓ×１００
【０２２８】
上記の中和反応時間の数値は、数秒間程度のものであるが、時間の関数として示される、中和反応中の温度増加曲線（図１の曲線を参照）から決定される。
【０２２９】
時間Ｓは、反応終了温度での時刻ｔｆと反応開始温度での時刻ｔｉとの差ｔｆ−ｔｉに等しい。
【０２３０】
反応開始温度での時刻ｔｉは、撹拌開始後の温度上昇開始時刻に対応する時刻である。
【０２３１】
反応終了温度での時刻ｔｆは、その時刻を起点として温度信号が反応時間の１／２以上の時間のあいだ安定を維持する時刻とする。
【０２３２】
潤滑剤は、上記反応時間が短いほど、従って、高い指数値が得られるほど、より効率的であると言える。
【０２３３】
（使用する機器）
反応器の形状、撹拌体の形状および動作条件については、油相中での拡散の制約の影響を無視できる化学的状態（chemical regime）になるように選択した。
【０２３４】
従って、使用する機器の構成において、流体の高さを上記反応器の内径と同一の数値に設定すると共に、ヘリカル型撹拌体をその流体の高さの約１／３の位置に配置する必要がある。
【０２３５】
使用する機器は、内径５２ｍｍ、内部の高さ１８５ｍｍの、３００ｍｌの円筒形状の断熱反応器で構成され、ヘリカル型撹拌翼付きの撹拌棒（直径＝２２ｍｍ）を備えたものとし、その撹拌翼の直径はデュワーフラスコ（上記断熱反応器）の直径の０．３〜０．５倍、すなわち、１５．６〜２６ｍｍとする。
【０２３６】
ヘリカル型撹拌翼の位置は、反応器の底から約１５ｍｍの距離（位置）に固定する。この撹拌系を、可変速モータ（１０〜５，０００ｒｐｍ）と、時間の関数としての温度を取得するシステムとによって駆動する。
【０２３７】
後者のシステムは、およそ５〜２０秒間の反応時間の測定、および約２０℃〜約３５℃の温度（好ましくは約３０℃）からの数十度の温度上昇を測定するのに適したシステムである。この温度取得システムの位置は、上記デュワーフラスコ内における定位置に固定する。
【０２３８】
上記撹拌系は、反応が化学的領域（chemical range）内で生じるように制御する。本実験の構成では、これを、上記撹拌系の位置を固定した状態でその回転速度を２，０００ｒｐｍに調節することにより実現する。
【０２３９】
さらに、反応の化学的領域は、上記デュワーフラスコへの投入後のオイル（潤滑剤）の深さにも依存する。この深さは、前述のように、デュワーフラスコの直径と同一とする必要があり、本実験の構成では、試験対象の潤滑剤の質量約８６ｇに対応する深さである。
【０２４０】
ＢＮが７０である潤滑剤を試験する際には、上記反応器に、ＢＮポイント＝７０の中和当量の酸を投入する。
【０２４１】
例えば、ＢＮが７０の潤滑剤の場合、上記反応器に、濃度７５％の硫酸７．０１ｇと、試験対象の潤滑剤８６ｇとを投入する。
【０２４２】
酸と潤滑剤の良好な混合を良好に行い得るように、また二つのテスト間で再現性よく行い得るように、反応器内に撹拌系を設置した後、撹拌を開始して化学的領域の枠内での反応を追跡する。温度取得システムは、恒常的なものとする。
【０２４３】
（エンタルピー試験の実施−キャリブレーション）
上記の方法を用いて本発明にかかる潤滑剤の効率指数を算出するにあたり、１グラム当たり７０ｍｇＫＯＨ／ｇ（ＡＳＴＭ  Ｄ−２８９６規格に準拠した測定値）のＢＮを有し、本発明にかかる脂肪族アミン類を含まない、２ストローク船舶エンジン用シリンダー潤滑剤Ｌｒｅｆを用いた場合の中和反応時間を、参照値として選択した。
【０２４４】
このシリンダー潤滑剤の調製には、１５℃での比重が８８０〜９００ｋｇ／ｍ３である留分と比重が８９５〜９１５ｋｇ／ｍ３である蒸留残渣（ブライトストック）とを、留分／蒸留残渣＝３の比で混合することによって得られる鉱物由来の潤滑剤基油（鉱物基油）を用いる。
【０２４５】
この潤滑剤基油に、ＢＮが４００ｍｇＫＯＨ／ｇの過塩基化されたカルシウムスルホネート（スルホン酸カルシウム）と、分散剤と、ＢＮが２５０ｍｇＫＯＨ／ｇの過塩基化されたカルシウムフェネート（石炭酸カルシウム）とを含有する濃縮物を添加する。このシリンダー潤滑剤は、高硫黄含有量の燃料油、すなわち、総重量に対する硫黄含有量が３％を超える、あるいは３．５％をも超える燃料油とともに使用する際に、十分な中和能力を発揮するように特に調整された処方物である。
【０２４６】
この参照用潤滑剤は、上記濃縮物を２５．５０質量％含有する。また、この潤滑剤の、１グラムあたりの値として７０ｍｇＫＯＨ／ｇのＢＮは、その濃縮物中に含まれる過塩基性清浄剤（過塩基化されたフェネートおよび過塩基化されたスルホネート）のみによって付与される。
【０２４７】
この参照用潤滑剤は、１００℃での粘度が、ＡＳＴＭ  Ｄ４４５に準拠した測定値で１８〜２１．５ｍｍ２／ｓとなる。
【０２４８】
このオイル（以下、参照オイルＨｒｅｆ）の中和反応時間は７５秒で、中和効率指数が１００に設定される。
【実施例】
【０２４９】
（実施例１：本発明にかかるシリンダー潤滑剤の耐熱性の評価）
本発明にかかるシリンダー潤滑剤の耐熱性を、連続ＥＣＢＴ試験を実施することによって評価した。また、これにより、該組成物（本発明にかかるシリンダー潤滑剤）の存在下でのエンジン清浄性をシミュレーションした。
【０２５０】
この目的のために、様々なシリンダー潤滑剤を下記の化合物から調製した：
第１の潤滑剤基油：比重＝８９５〜９１５ｋｇ／ｍ３の、グループ１の鉱物基油（ブライトストック）；
第２の潤滑剤基油：グループ１の鉱物基油、具体的には、ニュートラル６００ＮＳと称する、４０℃での粘度がＡＳＴＭ  Ｄ７２７９規格に準拠した測定値で１２０ｃＳｔとなる基油；
清浄剤パッケージ：１グラムあたりの値としてのＢＮが、１５０ｍｇＫＯＨ／ｇの中性フェネート、１グラムあたりの値としてのＢＮが２５０ｍｇＫＯＨ／ｇの過塩基性フェネート、１グラムあたりの値としてのＢＮが、４００ｍｇＫＯＨ／ｇの過塩基性スルホネート、ＰＩＢコハク酸イミドタイプの分散剤、脂肪アルコール（具体的には、炭素数１６〜１８の炭化水素含有鎖を有するモノアルコール類の混合物）、および消泡剤を含むパッケージ；
第１の脂肪族アミン：式（Ｉ）で表される脂肪族アミンを９９．９重量％含む混合物であって、式（Ｉ）で、Ｒ１が炭素数１４〜１６のアルキル基であり且つＲ２が水素原子である脂肪族アミンと、式（Ｉ）でＲ１が炭素数１８のアルキル基であり且つＲ２が水素原子である脂肪族アミンと、式（Ｉ）でＲ１が炭素数２０以上のアルキル基であり且つＲ２が水素原子である脂肪族アミンとを含み、ＡＳＴＭ  Ｄ−２８９６規格に準拠して測定される値で、１グラムあたりの値として４７１ｍｇＫＯＨ／ｇのＢＮを有する混合物（ＡＫＺＯ  ＮＯＢＥＬ社から販売されているＴｅｔｒａｍｅｅｎ  ＯＶ）；および、
第２の脂肪族アミン：脂肪トリアミンを９９．９％含む混合物であって、炭素数１４〜１６のアルキル基を有する脂肪トリアミンと、炭素数１８のアルキル基を有する脂肪トリアミンと、炭素数２０以上のアルキル基を有する脂肪トリアミンとを含み、ＡＳＴＭ  Ｄ−２８９６規格に準拠して測定される値で、１グラムあたりの値として４２０ｍｇＫＯＨ／ｇのＢＮを有する混合物（ＡＫＺＯ  ＮＯＢＥＬ社から販売されているＴｒｉａｍｅｅｎ  ＯＶ）。
【０２５１】
以下の表１に、シリンダー潤滑剤Ｌ１およびシリンダー潤滑剤Ｌ２を示す。表中の数値は、質量百分率に相当する。
【０２５２】
【表３】
0006324492.tif 000012
【０２５３】
以下の表２に、シリンダー潤滑剤Ｌ１，Ｌ２の特性を示す。
【０２５４】
【表４】
0006324492.tif 000013
【０２５５】
潤滑剤Ｌ１，Ｌ２の耐熱性を、定められた条件下で生成される堆積物の質量（ｍｇ）を計測する連続ＥＣＢＴ試験によって評価した。この質量が低いほど、耐熱性が優れている（したがって、エンジン清浄性も優れている）ことを意味する。
【０２５６】
この試験は、クランクケースからの潤滑剤が吹き付けられる高温のエンジンピストンをシミュレーションするものである。
【０２５７】
この試験では、ピストンの形状を模したアルミニウム製ビーカーが使われる。まず、これらのビーカーを、およそ６０℃に温度が保持管理されたガラス容器内に配置した。この容器に潤滑剤を注入した。その際、容器にはワイヤーブラシが付属しており、これが潤滑剤中に一部浸かる状態となった。ついで、このブラシを、上記ビーカーの下部表面に対して潤滑剤の飛沫を散布するように、速度１０００ｒｐｍの回転運動で動かした。なお、上記ビーカーの温度は、熱電対によって制御された発熱電気抵抗により３１０℃に維持した。
【０２５８】
連続ＥＣＢＴ試験を１２時間実施し、その試験中のあいだ潤滑剤の飛沫を絶えず形成させた。この手法により、ピストン−リングアセンブリでの堆積物の形成を模擬することができる。結果として、上記ビーカー上の堆積物の重量（測定値）が得られる。
【０２５９】
この試験の詳細な説明は、“Research and Development of Marine Lubricants in ELF ANTAR France - The relevance of laboratory tests in simulating field performance”と題された刊行物（Jean-Philippe ROMAN、ＭARINE PROPULSION CONFERENCE 2000、 アムステルダム、２０００年３月２９−３０日）に記載されている。
【０２６０】
以下の表３に、結果を示す。
【０２６１】
なお、表３には、上述した参照用のシリンダー潤滑剤Ｌｒｅｆの結果も付け加えている。
【０２６２】
【表５】
0006324492.tif 000014
【０２６３】
上記の結果から、本発明にかかるシリンダー潤滑剤が良好な耐熱性を示し、これによってエンジン清浄性を向上できることが分かる。
【０２６４】
注目すべきは、式（Ｉ）においてＲ１が炭素数１６〜２０のアルキル基であるテトラアミンを選択することにより、炭素数１６〜２０のアルキル基を有するトリアミンを選択した場合よりも、耐熱性を向上できるという点である。
【０２６５】
同様に注目すべきは、本発明にかかるシリンダー潤滑剤の耐熱性が、参照用のシリンダーオイル（潤滑剤）の耐熱性よりも若干向上している点である。
【０２６６】
（実施例２：本発明にかかるシリンダー潤滑剤の耐熱性の評価）
本発明にかかるシリンダー潤滑剤の耐熱性を、連続ＥＣＢＴ試験を実施することによって評価した。また、これにより、該組成物（本発明にかかるシリンダー潤滑剤）の存在下でのエンジン清浄性をシミュレーションした。
【０２６７】
この目的のために、２種類のシリンダー潤滑剤Ｌ３，Ｌ４を下記の化合物から調製した：
第３の脂肪族アミン：式（Ｉ）で表される脂肪族アミンを９９．９％含む混合物であって、式（Ｉ）で、Ｒ１が炭素数１８〜２０の不飽和アルキル基であり且つＲ２が水素原子である脂肪族アミンと、式（Ｉ）で、Ｒ１が炭素数１８〜２０の飽和アルキル基であり且つＲ２が水素原子である脂肪族アミンとを含み、ＡＳＴＭ  Ｄ−２８９６規格に準拠して測定される値で、１グラムあたりの値として４７７ｍｇＫＯＨ／ｇのＢＮを有する混合物（ＡＫＺＯ  ＮＯＢＥＬ社から販売されているＴｅｔｒａｍｅｅｎ  Ｔ）；
第４の脂肪族アミン：脂肪トリアミンを９９．９％含む混合物であって、炭素数１８〜２０の不飽和アルキル基を有する脂肪トリアミンと、炭素数１８〜２０の飽和アルキル基を有する脂肪トリアミンとを含み、ＡＳＴＭ  Ｄ−２８９６規格に準拠して測定される値で、１グラムあたりの値として４３０ｍｇＫＯＨ／ｇのＢＮを有する混合物（ＡＫＺＯ  ＮＯＢＥＬ社から販売されているＴｒｉａｍｅｅｎ  Ｔ）；及び
実施例１に記載したものと同じ第１の基油、第２の基油および清浄剤パッケージ。
【０２６８】
以下の表４に、シリンダー潤滑剤Ｌ３およびシリンダー潤滑剤Ｌ４を示す。表中の数値は、質量百分率に相当する。
【０２６９】
【表６】
0006324492.tif 000015
【０２７０】
以下の表５に、シリンダー潤滑剤Ｌ３，Ｌ４の特性を示す。
【０２７１】
【表７】
0006324492.tif 000016
【０２７２】
潤滑剤Ｌ３，Ｌ４の耐熱性を、実施例１で説明した連続ＥＣＢＴ試験によって評価した。
【０２７３】
以下の表６に、結果を示す。
【０２７４】
なお、表６には、前述の、参照用のシリンダー潤滑剤Ｌｒｅｆの結果も付け加えている。
【０２７５】
【表８】
0006324492.tif 000017
【０２７６】
上記の結果から、本発明にかかるシリンダー潤滑剤が良好な耐熱性を示し、これによってエンジン清浄性を向上できることが分かる。
【０２７７】
注目すべきは、式（Ｉ）においてＲ１が炭素数１８〜２０のアルキル基であるテトラアミンを選択することにより、炭素数１８〜２０のアルキル基を有するトリアミンを選択した場合よりも、耐熱性を向上できるという点である。
【０２７８】
同様に注目すべきは、この実施例２においても、本発明にかかるシリンダー潤滑剤の耐熱性が、参照用のシリンダーオイル（潤滑剤）の耐熱性よりも若干向上している点である。
【０２７９】
（実施例３：本発明にかかるシリンダー潤滑剤の硫酸中和特性の評価）
本発明にかかるシリンダー潤滑剤の硫酸中和効率を、上述したエンタルピー試験を実施することによって評価した。
【０２８０】
この目的のために、実施例１の潤滑剤Ｌ１，Ｌ２および上述の参照用のシリンダー潤滑剤Ｌｒｅｆを評価した。
【０２８１】
以下の表７に、結果を示す。
【０２８２】
【表９】
0006324492.tif 000018
【０２８３】
上記の結果から、本発明にかかるシリンダー潤滑剤を使用することにより、参照用のオイル（潤滑剤）を使用した場合よりも遥かに高い、極めて良好な硫酸中和効率が得られることが分かる。
【０２８４】
注目すべきは、本発明にかかるシリンダー潤滑剤を使用した場合の中和効率が、トリアミンを含むシリンダー潤滑剤を使用した場合の中和効率とあまり離れていないという点である。
【０２８５】
実施例１〜３は、式（Ｉ）で表される脂肪族アミンを特に選択した場合の利点として、それ以外の脂肪ポリアミンを選択した場合と対比し、非常に良好な中和効率が得られるとともに、耐熱性が向上し、したがって、ピストン−シリンダアセンブリの清浄性を向上できることを示している。
【０２８６】
（実施例４：本発明にかかるシリンダー潤滑剤の粘度の、硫酸との関連での評価）
国際規格ＡＳＴＭ  Ｄ２２３０に準拠して算出された、本発明にかかるシリンダー潤滑剤の粘度指数を評価した。
【０２８７】
この目的のために、２種類のシリンダー潤滑剤Ｌ５，Ｌ６を下記の化合物から調製した：
第５の脂肪族アミン：ＢＮ＝ＡＳＴＭ  Ｄ−２８９６規格に準拠して測定される値で、１グラムあたりの値として１６０ｍｇＫＯＨ／ｇのＢＮを有する、エトキシ化オレオイルモノアミン（oleic monoamine）（ＡＫＺＯ  ＮＯＢＥＬ社から販売されているＥｔｈｏｍｅｅｎ  Ｏ／１２）；及び
実施例１に記載したものと同じ第１の基油、第２の基油、第１の脂肪族アミンおよび清浄剤パッケージ。
【０２８８】
以下の表８に、シリンダー潤滑剤Ｌ５およびシリンダー潤滑剤Ｌ６を示す。表中の数値は、質量百分率に相当する。
【０２８９】
【表１０】
0006324492.tif 000019
【０２９０】
以下の表９に、シリンダー潤滑剤Ｌ５，Ｌ６の特性を示す。
【０２９１】
【表１１】
0006324492.tif 000020
【０２９２】
以下の表１０に、結果を示す。粘度指数が高いほど、温度の関数としての粘度安定性（温度変化に対する粘度安定性）が優れていることを意味する。
【０２９３】
【表１２】
0006324492.tif 000021
【０２９４】
上記の結果から、シリンダー潤滑剤中に式（Ｉ）で表される脂肪族アミンを高濃度で配合することにより、温度の関数として、良好な粘度安定性を維持できる一方、同様に高い濃度でアルコキシ化脂肪族アミンをシリンダー潤滑剤中に配合した場合には、安定性を低下させることがわかる。
【０２９５】
（実施例５：本発明にかかるシリンダー潤滑剤の耐熱性の評価）
本発明にかかるシリンダー潤滑剤の耐熱性を、連続ＥＣＢＴ試験を実施することによって評価し、このような組成物の存在下でのエンジン清浄性をシミュレーションした。
【０２９６】
この目的のため、シリンダー潤滑剤Ｌ７を下記の化合物から調製した：
第６の脂肪族アミン：、式（Ｉ）で表され、式中のＲ１が炭素数１６〜２０の炭化水素含有鎖であり且つＲ２が水素原子である脂肪族アミンを８０％と、脂肪モノアミン類と脂肪ジアミン類との混合物を２０％とを含む混合物であって、ＡＳＴＭ  Ｄ−２８９６規格に準拠して測定される値で、１グラムあたりの値として４６０ｍｇＫＯＨ／ｇのＢＮを有する物（ＣＥＣＡ社から販売されているＰｏｌｙｒａｍ  Ｓ）；及び
−実施例１に記載したものと同じ第１の基油、第２の基油および清浄剤パッケージ。
【０２９７】
以下の表１１に、シリンダー潤滑剤Ｌ１およびシリンダー潤滑剤Ｌ７を示す。表中の数値は、質量百分率に相当する。
【０２９８】
【表１３】
0006324492.tif 000022
【０２９９】
以下の表１２に、シリンダー潤滑剤Ｌ１，Ｌ７の特性を示す。
【０３００】
【表１４】
0006324492.tif 000023
【０３０１】
潤滑剤Ｌ１，Ｌ７の耐熱性を、実施例１で説明した連続ＥＣＢＴ試験によって評価した。
【０３０２】
以下の表１３に、結果を示す。
【０３０３】
表１３には、上述した参照用のシリンダー潤滑剤Ｌｒｅｆの結果も付け加えている。
【０３０４】
【表１５】
0006324492.tif 000024
【０３０５】
上記の結果から、本発明にかかるシリンダー潤滑剤が良好な耐熱性を示し、これによってエンジン清浄性を向上できることが分かる。
【０３０６】
上記の結果は、式（Ｉ）で表される脂肪族アミンの量を、総重量に対して９０重量％以上とし、好ましくは、厳密に１００重量％未満とした脂肪族アミン混合物が、シリンダー潤滑剤中に存在することが重要であることを示している。
【０３０７】
実際、シリンダー潤滑剤中において脂肪族アミン混合物のうちの式（Ｉ）で表される脂肪族アミンの量を、その脂肪族アミン混合物の総重量に対して８０重量％以下に設定すると、耐熱性が低下し、エンジン清浄性の低下を招くことになる。
【０３０８】
実施例１〜５は、脂肪族アミン混合物であって、その総重量に対し、式（Ｉ）で表される脂肪族アミンの含有量が９０重量％以上であり、好ましくは、厳密に１００重量％未満である脂肪族アミン混合物を選択することの利点として、式（Ｉ）で表される脂肪族アミンの含有量が、その総重量に対して９０重量％未満である脂肪族アミン混合物や、それ以外の脂肪ポリアミンや、アルコキシ化アミンを選択した場合と対比し、非常に良好な中和効率が得られると共に、良好な粘度安定性を長期にわたって維持しながら、耐熱性を向上させることができることを示している。
なお、本発明は、実施の態様として以下の内容を含む。
〔態様１〕
ＡＳＴＭ  Ｄ−２８９６規格に準拠して測定される値で、５０ｍｇＫＯＨ／ｇ以上のＢＮを有するシリンダー潤滑剤であって、
少なくとも一種の潤滑剤基油と、
金属炭酸塩によって過塩基化された、アルカリ金属又はアルカリ土類金属に基づく少なくとも一種の過塩基性清浄剤と、
少なくとも一種の中性清浄剤と、
式（Ｉ）：Ｒ１−［ＮＲ２（ＣＨ２）３］３−ＮＨ２（式中、Ｒ１は、炭素数１４以上の直鎖状又は分岐鎖状の飽和又は不飽和のアルキル基であり、Ｒ２は、水素原子、あるいは、式：−（ＣＨ２）２ＯＨで表される基である。）で表される少なくとも一種の脂肪族アミンを含む、脂肪族アミン混合物と、
を含み、
前記式（Ｉ）で表される脂肪族アミンの含有量は、前記脂肪族アミン混合物の総重量に対して９０重量％以上であり、
脂肪族アミンは、ＡＳＴＭ  Ｄ−２８９６規格に準拠して測定される値で、アミン１グラムあたりの値として１５０〜６００ｍｇＫＯＨ／ｇのＢＮを有し、
該潤滑剤の総重量に対する脂肪族アミンの質量百分率は、該シリンダー潤滑剤の全ＢＮのうち、該脂肪族アミンの寄与によるＢＮが、潤滑剤１グラムあたりの値として１０ｍｇＫＯＨ／ｇ以上となるように選択され、
該潤滑剤の総重量に対する過塩基性清浄剤の質量百分率は、該シリンダー潤滑剤の全ＢＮのうち、金属炭酸塩の寄与によるＢＮが、潤滑剤１グラムあたりの値として２０ｍｇＫＯＨ／ｇ以上となるように選択されている、シリンダー潤滑剤。
〔態様２〕
態様１に記載のシリンダー潤滑剤において、前記式（Ｉ）で表される脂肪族アミンの含有量が、前記脂肪族アミン混合物の総重量に対して厳密に１００重量％未満である、シリンダー潤滑剤。
〔態様３〕
態様１または２に記載のシリンダー潤滑剤において、前記式（Ｉ）で表される脂肪族アミンの含有量が、前記脂肪族アミン混合物の総重量に対して９０〜９９．９重量％である、シリンダー潤滑剤。
〔態様４〕
態様１から３のいずれか一態様に記載のシリンダー潤滑剤において、該シリンダー潤滑剤が、ＡＳＴＭ  Ｄ−２８９６規格に準拠して測定される値で、潤滑剤１グラムあたりの値として５０〜１００ｍｇＫＯＨ／ｇのＢＮ（好ましくは潤滑剤１グラムあたりの値として６０〜９０ｍｇＫＯＨ／ｇのＢＮ）を有する、シリンダー潤滑剤。
〔態様５〕
態様１から４のいずれか一態様に記載のシリンダー潤滑剤において、前記脂肪族アミンが、ＡＳＴＭ  Ｄ−２８９６規格に準拠して測定される値で、アミン１グラムあたりの値として２５０〜６００ｍｇＫＯＨ／ｇのＢＮ（好ましくは１グラムあたりの値として３００〜５００ｍｇＫＯＨ／ｇのＢＮ）を有する、シリンダー潤滑剤。
〔態様６〕
態様１から５のいずれか一態様に記載のシリンダー潤滑剤において、該潤滑剤の総重量に対する脂肪族アミンの質量百分率は、該シリンダー潤滑剤の全ＢＮのうち、その脂肪族アミンの寄与によるＢＮが、潤滑剤１グラムあたりの値として１０〜６０ｍｇＫＯＨ／ｇ（好ましくは潤滑剤１グラムあたりの値として１０〜３０ｍｇＫＯＨ／ｇ）となるように選択されている、シリンダー潤滑剤。
〔態様７〕
態様１から６のいずれか一態様に記載のシリンダー潤滑剤において、該潤滑剤の総重量に対する脂肪族アミンの質量百分率は、該シリンダー潤滑剤の全ＢＮのうち、前記脂肪族アミンの寄与によるＢＮが１０％以上（好ましくは１０〜５０％、より好ましくは１０〜３０％）となるように選択されている、シリンダー潤滑剤。
〔態様８〕
態様１から７のいずれか一態様に記載のシリンダー潤滑剤において、該シリンダー潤滑剤の総重量に対し、前記脂肪族アミン混合物の質量百分率が、２〜１０質量％である、シリンダー潤滑剤。
〔態様９〕
態様１から８のいずれか一態様に記載のシリンダー潤滑剤において、前記Ｒ１が、炭素数１４〜２２（好ましくは炭素数１６〜２０）の直鎖状又は分岐鎖状の飽和又は不飽和のアルキル基である、シリンダー潤滑剤。
〔態様１０〕
態様１から９のいずれか一態様に記載のシリンダー潤滑剤において、Ｒ２が、水素原子である、シリンダー潤滑剤。
〔態様１１〕
態様１から１０のいずれか一態様に記載のシリンダー潤滑剤において、脂肪族アミン混合物が、
式（Ｉ）で、Ｒ１が炭素数１４〜１６の直鎖状又は分岐鎖状の飽和又は不飽和のアルキル基であり、かつ、Ｒ２が水素原子である、少なくとも一種の脂肪族アミン、
式（Ｉ）で、Ｒ１が炭素数１８以上の直鎖状又は分岐鎖状の飽和又は不飽和のアルキル基であり、かつ、Ｒ２が水素原子である、少なくとも一種の脂肪族アミン、および
式（Ｉ）で、Ｒ１が炭素数２０以上の直鎖状又は分岐鎖状の飽和又は不飽和のアルキル基であり、かつ、Ｒ２が水素原子である、少なくとも一種の脂肪族アミン、
の形で存在する、シリンダー潤滑剤。
〔態様１２〕
態様１から１０のいずれか一態様に記載のシリンダー潤滑剤において、脂肪族アミン混合物が、
式（Ｉ）で、Ｒ１が炭素数１６〜２０（好ましくは炭素数１８〜２０）の直鎖状又は分岐鎖状の不飽和アルキル基であり、かつ、Ｒ２が水素原子である、少なくとも一種の脂肪族アミン、および
式（Ｉ）で、Ｒ１が炭素数１６〜２０（好ましくは炭素数１８〜２０）の直鎖状又は分岐鎖状の飽和アルキル基であり、かつ、Ｒ２が水素原子である、少なくとも一種の脂肪族アミン、
の形で存在する、シリンダー潤滑剤。
〔態様１３〕
態様１から１２のいずれか一態様に記載のシリンダー潤滑剤において、前記過塩基性清浄剤および中性清浄剤が、カルボキシレート、スルホネート、サリチレート、ナフテネート、フェネート、およびこれら少なくとも２種類の清浄剤を組み合わせた混合清浄剤から選択される、シリンダー潤滑剤。
〔態様１４〕
態様１から１３のいずれか一態様に記載のシリンダー潤滑剤において、前記過塩基性清浄剤および中性清浄剤が、カルシウム、マグネシウム、ナトリウムおよびバリウムから選択される金属に基づく化合物である（好ましくは、カルシウムおよびマグネシウムから選択される金属に基づく化合物である）、シリンダー清浄剤。
〔態様１５〕
態様１から１４のいずれか一態様に記載のシリンダー潤滑剤において、該潤滑剤の総重量に対する過塩基性清浄剤の質量百分率は、該シリンダー潤滑剤の全ＢＮのうち、前記金属炭酸塩の寄与によるＢＮが、厳密に２０ｍｇＫＯＨ／ｇを超えるように選択されている、シリンダー潤滑剤。
〔態様１６〕
態様１から１５のいずれか一態様に記載のシリンダー潤滑剤において、該潤滑剤の総重量に対する過塩基性清浄剤の質量百分率は、該シリンダー潤滑剤の全ＢＮのうち、金属炭酸塩の寄与によるＢＮが、潤滑剤１グラムあたりの値として３０〜７０ｍｇＫＯＨ／ｇとなるように選択されている、シリンダー潤滑剤。
〔態様１７〕
態様１から１６のいずれか一態様に記載のシリンダー潤滑剤において、該潤滑剤の総重量に対する過塩基性清浄剤および中性清浄剤の質量百分率は、該シリンダー潤滑剤の全ＢＮのうち、それらの清浄剤セッケン部により付与される有機ＢＮの寄与が、潤滑剤１グラムあたりの値として１０ｍｇＫＯＨ／ｇ以上（好ましくは潤滑剤１グラムあたりの値として１０〜６０ｍｇＫＯＨ／ｇ、より好ましくは潤滑剤１グラムあたりの値として１０〜４０ｍｇＫＯＨ／ｇ）となるように選択されている、シリンダー潤滑剤。
〔態様１８〕
態様１から１７のいずれか一態様に記載のシリンダー潤滑剤において、該潤滑剤の総重量に対する過塩基性清浄剤の質量百分率が、８〜３０質量％（好ましくは１０〜３０質量％である）である、シリンダー潤滑剤。
〔態様１９〕
態様１から１８のいずれか一態様に記載のシリンダー潤滑剤において、該潤滑剤の総重量に対する中性清浄剤の質量百分率が、５〜１５質量％（好ましくは５〜１０質量％）である、シリンダー潤滑剤。
〔態様２０〕
態様１から１９のいずれか一態様に記載のシリンダー潤滑剤において、さらに、
炭素数１２以上（好ましくは炭素数１２〜２４、より好ましくは炭素数１６〜１８）の直鎖状又は分岐鎖状の飽和又は不飽和のアルキル鎖を有する、第一級脂肪族モノアルコール類、第二級脂肪族モノアルコール類、および第三級脂肪族モノアルコール類（有利には、直鎖状の飽和アルキル鎖を有する第一級モノアルコール類）、ならびに
炭素数１４以上の飽和モノ脂肪酸と炭素数６以下のアルコールとのエステル類（好ましくはモノエステル類およびジエステル類、有利にはモノアルコールによるモノエステル類およびエステル官能基間の距離が該エステル官能基の酸素側から数えて炭素原子４個以下であるポリオールによるジエステル類）、
から選択される、付加的な化合物、
を含む、シリンダー潤滑剤。
〔態様２１〕
態様１から２０のいずれか一態様に記載のシリンダー潤滑剤において、該シリンダー潤滑剤の１００℃での動粘度が、ＡＳＴＭ  Ｄ４４５規格に準拠した測定値で１２．５〜２６．１ｃＳｔである（好ましくは１６．３〜２１．９ｃＳｔである）、シリンダー潤滑剤。
〔態様２２〕
態様１から２１のいずれか一態様に記載のシリンダー潤滑剤の使用であって、総重量に対する硫黄含有量が１重量％未満である燃料油と、総重量に対する硫黄含有量が１〜３．５重量％である燃料油のいずれを使用する際にも、一種類で用いることのできるシリンダー潤滑剤としての使用。
〔態様２３〕
態様１から２１のいずれか一態様に記載のシリンダー潤滑剤の使用であって、総重量に対する硫黄含有量が３．５重量％以下となる任意の燃料油の燃焼時に、２ストローク船舶エンジンの腐食を防止するため、かつ／または、２ストローク船舶エンジンでの不溶性の金属塩堆積物の形成を抑制するための使用。
〔態様２４〕
ＢＡＳＴＭ  Ｄ−２８９６規格に準拠して測定される値で潤滑剤１グラムあたりの値として５０ｍｇＫＯＨ／ｇ以上のＢＮを有するシリンダー潤滑剤を製造するために用いられる添加剤濃縮物であって、
該濃縮物は、濃縮物１グラムあたりの値として１００〜４００ｍｇＫＯＨ／ｇのＢＮを有し、
該濃縮物は、
金属炭酸塩によって過塩基化された、アルカリ金属又はアルカリ土類金属に基づく少なくとも一種の過塩基性清浄剤と、
少なくとも一種の中性清浄剤と、
式（Ｉ）：Ｒ１−［ＮＲ２（ＣＨ２）３］３−ＮＨ２（式中、Ｒ１は、炭素数１４以上の直鎖状又は分岐鎖状の飽和又は不飽和のアルキル基であり、Ｒ２は、水素原子、あるいは、式：−（ＣＨ２）２ＯＨで表される基である。）で表され、アミン１グラムあたりの値として、ＡＳＴＭ  Ｄ−２８９６規格に準拠して測定される値で、１５０〜６００ｍｇＫＯＨ／ｇのＢＮを有する、少なくとも一種の脂肪族アミンと、
を含み、
該濃縮物中の前記肪族アミンの質量百分率は、該濃縮物に対し、ＡＳＴＭ  Ｄ−２８９６規格に準拠して測定される値で、濃縮物１グラムあたりの値として２０〜３００ｍｇＫＯＨ／ｇのＢＮを付与するように選択されている、添加剤濃縮物。
【図１】
0006324492.tif 000025
【図２】
0006324492.tif 000026